(57)【要約】【課題】周囲の明るさに応じた制御が可能なＬＥＤランプを提供する。【解決手段】  ＬＥＤランプ１は、照明器具に取り付けられて用いられる。ＬＥＤランプ１は、複数のＬＥＤチップを含むＬＥＤ光源部２と、周囲の照度を検出する照度センサモジュール１２と、ＬＥＤ光源部２が点灯状態のときに、照度センサモジュール１２の出力信号に基づいて、ＬＥＤ光源部２が発生する光以外の周囲光の照度に応じてＬＥＤ光源部２を制御する制御装置とを含む。ＬＥＤ光源部２が点灯状態のとき、照度センサモジュール１２は周囲光照度のみならず自発光照度をも検出するおそれがある。制御装置は、その自発光照度の影響を排除し、周囲光の照度に応じてＬＥＤ光源部２を制御する。【選択図】図１
2013033717.tif 000002
【特許請求の範囲】
【請求項１】
照明器具に取り付けられるＬＥＤランプであって、
複数のＬＥＤチップを含むＬＥＤ光源部と、
周囲の照度を検出する照度センサと、
前記ＬＥＤ光源部が点灯状態のときに、前記照度センサの出力信号に基づいて、前記ＬＥＤ光源部が発生する光以外の周囲光の照度に応じて前記ＬＥＤ光源部を制御する制御装置と
を含む、ＬＥＤランプ。
【請求項２】
前記照度センサが、前記ＬＥＤ光源部が発生する光と周囲光とを検出するように配置されている、請求項１に記載のＬＥＤランプ。
【請求項３】
前記制御装置は、
前記ＬＥＤ光源部の駆動状態に基づいて、当該ＬＥＤ光源部が発生する光による前記照度センサの出力信号への寄与分である自発光照度を演算する自発光照度演算手段と、
前記照度センサの出力信号から前記自発光照度を減じた周囲光照度が所定のしきい値以下ならば前記ＬＥＤ光源部を点灯し、前記周囲光照度が前記しきい値を超えていれば前記ＬＥＤ光源部を消灯するオン／オフ制御手段と
を含む、請求項１または２に記載のＬＥＤランプ。
【請求項４】
前記制御装置は、前記周囲光照度が前記しきい値以下のときに、当該周囲光照度に応じた電力で前記ＬＥＤ光源部を駆動する照度適応駆動手段をさらに含む、請求項３に記載のＬＥＤランプ。
【請求項５】
前記制御装置は、
前記照度センサの出力信号を記憶する記憶手段と、
前記照度センサの出力信号と前記記憶手段の記憶値とを比較する比較手段と、
前記比較手段の比較結果に応じて前記ＬＥＤ光源部を点灯／消灯するオン／オフ制御手段とを含む、請求項１または２に記載のＬＥＤランプ。
【請求項６】
前記記憶手段は、前記ＬＥＤ光源部が予め定める点灯状態のときの前記照度センサの出力信号を記憶するように構成されている、請求項５に記載のＬＥＤランプ。
【請求項７】
前記記憶手段に前記照度センサの出力信号を書き込むために操作者によって操作される書き込み指示手段をさらに含み、前記制御装置は、前記書き込み指示手段の操作に応答して前記照度センサの出力信号を前記記憶手段に書き込む書き込み手段をさらに含む、請求項５または６に記載のＬＥＤランプ。
【請求項８】
前記書き込み指示手段が、前記ＬＥＤ光源部を予め定める状態で点灯させるための点灯指示手段を含み、
前記制御装置が、前記記憶手段に前記照度センサの出力信号が書き込み済みであるときには前記書き込み手段による書き込み動作を禁止し、前記記憶手段に前記照度センサの出力信号が書き込み済みでないときには、前記書き込み手段による書き込み動作を許容する書き込み制御手段をさらに含む、請求項７に記載のＬＥＤランプ。
【請求項９】
前記書き込み手段による書き込み動作の禁止を解除するために操作者によって操作される禁止解除操作手段をさらに含み、
前記書き込み制御手段は、前記禁止解除操作手段の操作に応答して、前記書き込み手段による一回の書き込み動作を許容するように構成されている、請求項８に記載のＬＥＤランプ。
【請求項１０】
前記比較手段は、前記照度センサの出力信号から前記記憶手段の記憶値を減じた周囲光照度が所定のしきい値以下かどうかを判定する手段を含み、
前記オン／オフ制御手段は、前記周囲光照度が前記しきい値以下ならば前記ＬＥＤ光源部を点灯し、前記周囲光照度が前記しきい値を超えていれば前記ＬＥＤ光源部を消灯するように構成されている、請求項５〜９のいずれか一項に記載のＬＥＤランプ。
【請求項１１】
前記制御装置は、前記ＬＥＤ光源部をＰＷＭ制御するＰＷＭ制御手段と、前記ＰＷＭ制御手段によって前記ＬＥＤ光源部がＰＷＭ制御されているときに、ＰＷＭ周期中において前記ＬＥＤ光源部への電力供給が遮断されるオフ期間中に前記照度センサの出力信号を周囲光照度としてサンプリングするサンプリング手段とを含み、前記サンプリング手段によってサンプリングされた周囲光照度に応じて前記ＬＥＤ光源部を制御するように構成されている、請求項１または２に記載のＬＥＤランプ。
【請求項１２】
前記制御装置は、前記サンプリング手段によってサンプリングされた周囲光照度に基づいて前記ＰＷＭ制御におけるデューティ比を設定するデューティ比設定手段をさらに含む、請求項１１に記載のＬＥＤランプ。
【請求項１３】
予め定める感度領域を有する人感センサをさらに含み、
前記制御装置は、前記人感センサの出力信号に応じて前記ＬＥＤ光源部を制御するように構成されている、請求項１〜１２のいずれか一項に記載のＬＥＤランプ。
【請求項１４】
前記制御装置は、前記人感センサによって人が検出されたことに応答して、前記ＬＥＤ光源部の駆動電力を増加するように構成されている、請求項１３に記載のＬＥＤランプ。
【請求項１５】
予め定める温度検知対象域に存在する対象の温度を非接触で検出する非接触温度センサをさらに含み、
前記制御装置は、前記非接触温度センサによって検出される温度に応じて前記ＬＥＤ光源部を制御するように構成されている、請求項１〜１４のいずれか一項に記載のＬＥＤランプ。
【請求項１６】
前記人感センサは、焦電型赤外センサを含み、
前記焦電型赤外センサの受光面への赤外線入射経路を開閉するシャッタユニットをさらに含む、請求項１３または１４に記載のＬＥＤランプ。
【請求項１７】
予め定める感度領域を有する焦電型赤外センサと、
前記焦電型赤外センサの受光面への赤外線入射経路を開閉するシャッタユニットとをさらに含み、
前記制御装置は、前記焦電型赤外センサの出力信号に基づいて前記感度領域内の人の有無を判断し、その判断結果に応じて前記ＬＥＤ光源部を制御するように構成されている、請求項１〜１４のいずれか一項に記載のＬＥＤランプ。
【発明の詳細な説明】
【技術分野】
【０００１】
この発明は、照明器具に取り付けられて用いられ、複数のＬＥＤ（発光ダイオード）チップを有するＬＥＤランプに関する。
【背景技術】
【０００２】
ＬＥＤ（発光ダイオード）を光源としたＬＥＤランプは、下記特許文献１に開示されている。このＬＥＤランプは、基板と、基板上に配置された複数のＬＥＤチップとによって構成された面状光源部を有している。
【先行技術文献】
【特許文献】
【０００３】
【特許文献１】国際公開第２０１０／０１８６８２号
【発明の概要】
【発明が解決しようとする課題】
【０００４】
この発明は、周囲の明るさに応じた制御が可能なＬＥＤランプを提供する。
【課題を解決するための手段】
【０００５】
この発明は、照明器具に取り付けられるＬＥＤランプであって、複数のＬＥＤチップを含むＬＥＤ光源部と、周囲の照度を検出する照度センサと、前記ＬＥＤ光源部が点灯状態のときに、前記照度センサの出力信号に基づいて、前記ＬＥＤ光源部が発生する光以外の周囲光の照度に応じて前記ＬＥＤ光源部を制御する制御装置とを含む、ＬＥＤランプを提供する（請求項１）。この構成では、ＬＥＤランプに照度センサが備えられているので、ＬＥＤ光源部が点灯状態のとき、照度センサは周囲光照度のみならずＬＥＤ光源部が発生する自発光の照度をも検出するおそれがある。この発明では、自発光照度の影響を排除し、周囲光の照度に応じてＬＥＤ光源部が制御されるので、周囲の明るさに応じてＬＥＤ光源部を適切に制御できる。すなわち、照明器具に照度センサが備えられていなくても、周囲の照度に応じてＬＥＤ光源部の駆動状態を変化させることができる。
【０００６】
前記照度センサは、前記ＬＥＤ光源部が発生する光と周囲光とを検出するように配置されていてもよい（請求項２）。このような配置であっても自発光照度の影響を排除して、周囲光の照度に応じてＬＥＤ光源部が制御されるので、照度センサの配置の自由度が高まり、かつ周囲の明るさに応じた良好な制御が実現される。
この発明の一つの実施形態では、前記制御装置は、前記ＬＥＤ光源部の駆動状態に基づいて、当該ＬＥＤ光源部が発生する光による前記照度センサの出力信号への寄与分である自発光照度を演算する自発光照度演算手段と、前記照度センサの出力信号から前記自発光照度を減じた周囲光照度が所定のしきい値以下ならば前記ＬＥＤ光源部を点灯し、前記周囲光照度が前記しきい値を超えていれば前記ＬＥＤ光源部を消灯するオン／オフ制御手段とを含む（請求項３）。ＬＥＤ光源部の駆動状態と自発光照度とには相関関係がある。したがって、ＬＥＤ光源部の駆動状態に基づいて自発光照度を演算できる。この演算された自発光照度を用いることにより、周囲光照度を適切に評価できる。すなわち、照度センサの出力信号から自発光照度を減じた周囲光照度をしきい値と比較し、その比較結果を用いることによって、ＬＥＤ光源部を適切にオン／オフできる。
【０００７】
前記制御装置は、前記周囲光照度が前記しきい値以下のときに、当該周囲光照度に応じた電力で前記ＬＥＤ光源部を駆動する照度適応駆動手段をさらに含むことが好ましい（請求項４）。この構成により、周囲光照度に応じてＬＥＤ光源部を適切に駆動できる。すなわち、周囲光照度が高いほど、ＬＥＤ光源部の駆動電力を低くすることにより、ＬＥＤ光源部を適切な発光状態とすることができ、かつ省エネルギーにも貢献できる。
【０００８】
この発明の別の実施形態では、前記制御装置は、前記照度センサの出力信号を記憶する記憶手段と、前記照度センサの出力信号と前記記憶手段の記憶値とを比較する比較手段と、前記比較手段の比較結果に応じて前記ＬＥＤ光源部を点灯／消灯するオン／オフ制御手段とを含む（請求項５）。たとえば、周囲光照度が零の状態（すなわち外光のない状態）でＬＥＤ光源部を点灯させれば、照度センサの出力は自発光照度を表すことになる。そこで、このような照度センサの出力を記憶手段に記憶させることによって、自発光照度を記憶手段に記憶させることができる。
【０００９】
前記記憶手段は、前記ＬＥＤ光源部が予め定める点灯状態のときの前記照度センサの出力信号を記憶するように構成されていてもよい（請求項６）。これにより、当該点灯状態のときの自発光照度を記憶手段に記憶させることができる。よって、当該点灯状態でＬＥＤ光源部を駆動しているときに、記憶手段の記憶値を参照することによって、照度センサの出力から周囲光照度を正しく見積もることができる。
【００１０】
前記ＬＥＤランプは、前記記憶手段に前記照度センサの出力信号を書き込むために操作者によって操作される書き込み指示手段をさらに含むことが好ましく、この場合に、前記制御装置は、前記書き込み指示手段の操作に応答して前記照度センサの出力信号を前記記憶手段に書き込む書き込み手段をさらに含むことが好ましい（請求項７）。これにより、照度センサの出力信号を確実に記憶手段に書き込むことができる。
【００１１】
この発明の一つの実施形態では、前記書き込み指示手段が、前記ＬＥＤ光源部を予め定める状態で点灯させるための点灯指示手段を含み、前記制御装置が、前記記憶手段に前記照度センサの出力信号が書き込み済みであるときには前記書き込み手段による書き込み動作を禁止し、前記記憶手段に前記照度センサの出力信号が書き込み済みでないときには、前記書き込み手段による書き込み動作を許容する書き込み制御手段をさらに含む（請求項８）。この構成によれば、予め定める状態でＬＥＤ光源部を点灯させると、そのときの照度センサの出力信号を自発光照度として記憶手段に書き込むことができる。この書き込みが一旦行われると、その後は、記憶手段への書き込みが禁止される。したがって、外光のない適切な環境下でＬＥＤ光源部を予め定める状態で最初に点灯させることにより、正確な自発光照度を記憶手段に簡単に書き込むことができる。
【００１２】
前記ＬＥＤランプは、前記書き込み手段による書き込み動作の禁止を解除するために操作者によって操作される禁止解除操作手段をさらに含み、前記書き込み制御手段は、前記禁止解除操作手段の操作に応答して、前記書き込み手段による一回の書き込み動作を許容するように構成されていることが好ましい（請求項９）。この構成により、禁止解除操作手段を操作することによって記憶手段への書き込み禁止が解除されるので、たとえば、記憶手段に不適切な値が書き込まれた場合には、その値を修正できる。
【００１３】
前記比較手段は、前記照度センサの出力信号から前記記憶手段の記憶値を減じた周囲光照度が所定のしきい値以下かどうかを判定する手段を含むことが好ましく、この場合に、前記オン／オフ制御手段は、前記周囲光照度が前記しきい値以下ならば前記ＬＥＤ光源部を点灯し、前記周囲光照度が前記しきい値を超えていれば前記ＬＥＤ光源部を消灯するように構成されていることが好ましい（請求項１０）。記憶手段に自発光照度が正しく書き込まれていれば、照度センサの出力信号から記憶手段の記憶値を減じた値は周囲光照度を正しく表している。その正確な周囲光照度を用いることによって、ＬＥＤ光源部を、周囲の明るさに応じて適切にオン／オフできる。
【００１４】
この発明のさらに別の実施形態では、前記制御装置は、前記ＬＥＤ光源部をＰＷＭ（パルス幅変調）制御するＰＷＭ制御手段と、前記ＰＷＭ制御手段によって前記ＬＥＤ光源部がＰＷＭ制御されているときに、ＰＷＭ周期中において前記ＬＥＤ光源部への電力供給が遮断されるオフ期間中に前記照度センサの出力信号を周囲光照度としてサンプリングするサンプリング手段とを含み、前記サンプリング手段によってサンプリングされた周囲光照度に応じて前記ＬＥＤ光源部を制御するように構成されている（請求項１１）。ＬＥＤ光源部は、ＰＷＭ周期中のオン期間には点灯し、オフ期間には消灯している。したがって、ＰＷＭ周期中のオフ期間に照度センサの出力信号をサンプリングすると、このサンプリングされた信号は、周囲光照度を正確に表している。そこで、その正確な周囲光照度を用いることによって、ＬＥＤ光源部を周囲の明るさに応じて適切に制御できる。
【００１５】
前記制御装置は、前記サンプリング手段によってサンプリングされた周囲光照度に基づいて前記ＰＷＭ制御におけるデューティ比を設定するデューティ比設定手段をさらに含むことが好ましい（請求項１２）。この構成により、周囲光の照度に応じた電力でＬＥＤ光源部が適切に駆動される。
この発明の一実施形態では、前記ＬＥＤランプは、予め定める感度領域を有する人感センサをさらに含み、前記制御装置は、前記人感センサの出力信号に応じて前記ＬＥＤ光源部を制御するように構成されている（請求項１３）。この構成により、感度領域への人の立ち入りの有無に応じてＬＥＤ光源部を駆動できる。そして、人感センサがＬＥＤランプに内蔵されているので、照明器具に人感センサが備えられていない場合でも、人感機能を有する照明装置を提供できる。
【００１６】
前記制御装置は、前記人感センサによって人が検出されたことに応答して、前記ＬＥＤ光源部の駆動電力を増加するように構成されていることが好ましい（請求項１４）。この構成により、感度領域に人が立ち入ると、ＬＥＤ光源部の発光光量が多くなる。これにより、必要時に限ってＬＥＤ光源部から必要光量の光が発せられるので、省エネルギー性を高めることができる。
【００１７】
この発明の一実施形態では、ＬＥＤランプは、予め定める温度検知対象域に存在する対象の温度を非接触で検出する非接触温度センサをさらに含み、前記制御装置は、前記非接触温度センサによって検出される温度に応じて前記ＬＥＤ光源部を制御するように構成されている（請求項１５）。人感センサは、人の動きに応答するのに対して、非接触温度センサは対象の温度を非接触で検出するので、温度検知対象域で静止している人を検出できる。したがって、温度検知対象域に静止した人が居るときに、ＬＥＤ光源部を適切に駆動できる。そして、非接触温度センサがＬＥＤランプに内蔵されているので、照明器具に非接触温度センサが備えられていない場合でも、静止人体感知機能を有する照明装置を提供できる。
【００１８】
この発明の一実施形態では、前記人感センサは、焦電型赤外センサを含み、前記ＬＥＤランプは、前記焦電型赤外センサの受光面への赤外線入射経路を開閉（たとえば周期的に遮断）するシャッタユニットをさらに含む（請求項１６）。焦電型赤外センサの感度領域内に人がいるとき、シャッタユニットによって赤外線入射経路を開閉（たとえば周期的に遮断）すると、たとえその人が静止しているときでも、焦電型赤外センサは、焦電効果による信号を出力する。感度領域内に人がいなければ、赤外線入射経路が開閉されても焦電型赤外センサの出力に有意な変化があらわれない。こうして、温度センサに比較して格段に安価な焦電型赤外センサを用いて、静止人体感知機能を提供できる。しかも、人感センサに備えられた焦電型赤外センサを静止人体感知のために兼用できるので、ＬＥＤランプのコストを効果的に低減できる。
【００１９】
また、この発明の一実施形態では、前記ＬＥＤランプは、予め定める感度領域を有する焦電型赤外センサと、前記焦電型赤外センサの受光面への赤外線入射経路を開閉（たとえば周期的に遮断）するシャッタユニットとをさらに含み、前記制御装置は、前記焦電型赤外センサの出力信号に基づいて前記感度領域内の人の有無を判断し、その判断結果に応じて前記ＬＥＤ光源部を制御するように構成されている（請求項１７）。この構成によっても、同様の原理によって、温度センサを用いることなく、静止人体検知機能を提供できる。また、人感センサとは別に焦電型赤外センサを設けているので、焦電型赤外センサと人感センサとの感度領域を個別に設定できる。これにより、静止した人の有無をより適切に検知し、その検知結果に応じてＬＥＤ光源部を適切に制御できる。
【図面の簡単な説明】
【００２０】
【図１】図１は、この発明の第１構成例における一実施形態に係るＬＥＤランプの斜視図であり、通常の使用状態における下方を上向きにして表してある。
【図２】図２は、ＬＥＤランプの内部構造を示す縦断面図であり、通常の使用状態における鉛直断面を示す。
【図３】図３は、ＬＥＤランプ１の内部構造を示す底面図（図１の姿勢のＬＥＤランプを上方から見た図）である。
【図４】図４は、人感センサモジュールの感度領域を図解的に示す図である。
【図５】図５は、ＬＥＤモジュールの構成例を示す断面図である。
【図６】図６Ａおよび図６Ｂは、人感センサモジュールの検知エリアを説明するための図解的な正面図であり、照明器具にＬＥＤランプを取り付けた状態を示す。
【図７】図７は、ＬＥＤランプの電気的構成を説明するためのブロック図である。
【図８】図８は、ＬＥＤランプに備えられたマイクロコンピュータの制御内容の一例を示すフローチャートであり、所定の制御周期毎に繰り返される処理が示されている。
【図９】図９は、待機点灯モード（図８のステップＳ６）におけるマイクロコンピュータの制御動作を説明するためのフローチャートである。
【図１０】図１０は、この発明の第１構成例における第２の実施形態に係るＬＥＤランプの電気的構成を説明するためのブロック図である。
【図１１】図１１は、マイクロコンピュータによる制御動作例を説明するためのフローチャートであり、所定の制御周期毎に繰り返される処理が示されている。
【図１２】図１２は、この発明の第１構成例における第３の実施形態を説明するための図であり、図９に示した待機点灯モードの代わりに適用することができる待機点灯モードの動作を示すフローチャートである。
【図１３】図１３は、待機点灯モードにおいて照度センサモジュールの出力信号をサンプリングするタイミングを説明するための図解的なタイムチャートである。
【図１４】図１４は、この発明の第１構成例における第４の実施形態に係るＬＥＤランプの構成を説明するための断面図である。
【図１５】図１５は、この発明の第１構成例における第５の実施形態に係るＬＥＤランプを示す斜視図である。
【図１６】図１６は、この発明の第１構成例における第６の実施形態に係るＬＥＤランプを示す斜視図である。
【図１７】図１７は、この発明の第１構成例における第７の実施形態に係るＬＥＤランプの構成の一部を示す断面図である。
【図１８】図１８は、人感センサモジュールの他の構成例を示す斜視図である。
【図１９】図１９は、人感センサモジュールのさらに他の構成例を示す斜視図である。
【図２０】図２０は、この発明の第１構成例における第８の実施形態に係るＬＥＤランプの構成を説明するための斜視図である。
【図２１】図２１は、この発明の第１構成例における第９の実施形態に係るＬＥＤランプの電気的構成を説明するためのブロック図である。
【図２２】図２２は、人感センサモジュールに備えられた焦電型赤外センサとシャッタユニットとの位置関係を説明するための図である。
【図２３】図２３は、焦電型赤外センサおよびシャッタユニットによって静止した人体を検知する原理を説明するための図である。
【図２４】図２４は、マイクロコンピュータの制御内容の一例を示すフローチャートであり、所定の制御周期毎に繰り返される処理が示されている。
【図２５】図２５は、この発明の第１構成例における第１０の実施形態に係るＬＥＤランプの電気的構成を説明するためのブロック図である。
【図２６】図２６は、本発明の第２構成例に係るＬＥＤランプの一例を示す断面図である。
【図２７】図２７は、図２６のＬＥＤランプに用いられるＬＥＤモジュールを示す断面図である。
【図２８】図２８は、図２６のＬＥＤランプを示すシステム構成図である。
【図２９】図２９は、図２６のＬＥＤランプの通常点灯モードにおける点灯制御を示すフローチャートである。
【図３０】図３０は、図２６のＬＥＤランプの常夜点灯モードにおける点灯制御を示すフローチャートである。
【図３１】図３１は、図２６のＬＥＤランプの使用状態を示す概略側面図である。
【図３２】図３２は、図２６のＬＥＤランプの点灯状態を示す概略側面図である。
【図３３】図３３は、図２６のＬＥＤランプの点灯状態が継続された場合を示す概略側面図である。
【図３４】図３４は、図２６のＬＥＤランプの点灯状態が継続された場合を示す概略側面図である。
【図３５】図３５は、図２６のＬＥＤランプの常夜点灯モードにおける点灯状態を示す概略側面図である。
【図３６】図３６は、図２６のＬＥＤランプの常夜点灯モードにおける消灯状態を示す概略側面図である。
【図３７】図３７は、本発明に係るＬＥＤランプの変形例の通常点灯モードにおける点灯制御を示すフローチャートである。
【図３８】図３８は、従来のＬＥＤランプの一例の使用状態を示す概略側面図である。
【図３９】図３９は、本発明の第３構成例における第１実施形態に基づく人感センサ付ＬＥＤランプを天井に設置した状態を示す図である。
【図４０】図４０は、図３９に示す人感センサ付ＬＥＤランプの一方の端部を示す斜視図である。
【図４１】図４１は、図３９に示す人感センサ付ＬＥＤランプの他方の端部を示す斜視図である。
【図４２】図４２は、図３９に示す人感センサ付ＬＥＤランプの内部を示す要部平面図である。
【図４３】図４３は、図３９に示す人感センサ付ＬＥＤランプの人感センサを示す平面図である。
【図４４】図４４は、図４３のＶＩ−ＶＩ線に沿う断面図である。
【図４５】図４５は、図４３に示す人感センサの底面図である。
【図４６】図４６は、図３９に示す人感センサ付ＬＥＤランプの第１の使用状態を示す図である。
【図４７】図４７は、図４６の要部拡大図である。
【図４８】図４８は、図４６に示す状態から検出範囲を変更した後の図である。
【図４９】図４９は、図４８の要部拡大図である。
【図５０】図５０は、図３９に示す人感センサ付ＬＥＤランプの第２の使用状態を示す図である。
【図５１】図５１は、図５０の要部拡大図である。
【図５２】図５２は、図５０に示す状態から検出範囲を変更した後の図である。
【図５３】図５３は、図５２の要部拡大図である。
【図５４】図５４は、本発明の第３構成例における第２実施形態に基づく人感センサ付ＬＥＤランプの他方の端部を示す斜視図である。
【図５５】図５５は、図５４に示す人感センサ付ＬＥＤランプの一方の端部を示す図である。
【図５６】図５６は、図５５に示す第１の可動部が回転した後の状態を示す図である。
【図５７】図５７は、本発明の第３構成例における第３実施形態に基づく人感センサ付ＬＥＤランプを天井に埋め込むように設置した状態を示す図である。
【図５８】図５８は、図５７に示す人感センサ付ＬＥＤランプの使用例を示す図である。
【図５９】図５９は、本発明の第３構成例における第４実施形態に基づく人感センサ付ＬＥＤランプの斜視図である。
【図６０】図６０は、図５９に示す人感センサ付ＬＥＤランプの使用状態を示す図である。
【図６１】図６１は、本発明の第３構成例における第５実施形態に基づく人感センサ付ＬＥＤランプを示す図である。
【図６２】図６２は、従来の人感センサ付ＬＥＤランプの斜視分解図である。
【図６３】図６３は、従来の人感センサ付ＬＥＤランプの使用状況を示す図である。
【発明を実施するための形態】
【００２１】
以下では、この発明の実施の形態を、添付図面を参照して詳細に説明する。
［１］第１構成例
図１は、この発明の一実施形態に係るＬＥＤランプ１の斜視図であり、通常の使用状態における下方を上向きにして表してある。また、図２は、ＬＥＤランプ１の内部構造を示す縦断面図であり、通常の使用状態における鉛直断面を示す。さらに、図３は、ＬＥＤランプ１の内部構造を示す底面図（図１の姿勢のＬＥＤランプ１を上方から見た図）である。
【００２２】
このＬＥＤランプ１は、直管型蛍光ランプの代替として、蛍光ランプ照明器具に取り付けて用いることができる。たとえば、天井に取り付けられた照明器具にＬＥＤランプ１を装着する場合、図１に上方に示した部分が下方を向くことになる。ＬＥＤランプ１は、ＬＥＤ光源部２と、支持部材３と、ケース４と、一対のキャップ５と、一対の口金６とを備えている。ケース４には、人感センサモジュール１１と、照度センサモジュール１２と、温度センサモジュール１３とが保持されている。なお、図２および図３では、照度センサモジュール１２および温度センサモジュール１３の図示は省略した。
【００２３】
ＬＥＤ光源部２は、基板７と、複数のＬＥＤモジュール８とを含む。基板７は、長尺な矩形形状を有する配線基板であり、たとえばガラスエポキシ樹脂等の樹脂基板に配線パターンを形成して構成されている。この基板７の表面に、基板７の長手方向に沿って、複数のＬＥＤモジュール８が一列に配列されている。むろん、複数のＬＥＤモジュール８は、基板７上に複数列に配列されていてもよい。こうして、ＬＥＤ光源部２は、基板７の長手方向に長尺な面状の発光域９（図３参照）を有している。発光域９は、基板７の長手方向中間位置に中心９ａを有している。ＬＥＤ光源部２は、発光域９の中心から基板７の法線方向に延びる照明中心軸３５を中心とした照明領域に向けて光を放射する。
【００２４】
支持部材３は、たとえば、アルミニウム等の高熱伝導性材料（基板７よりも熱伝導率の高い材料）からなり、基板７の長手方向に沿って延びる細長い中空ブロック形状を有している。より具体的には、支持部材３は、長手方向に直交する断面が中空の半円形状を有しており、ケース４の内周面に整合する円筒面３ａと、基板７に対向する平坦面３ｂとを有している。この平坦面３ｂに基板７が取り付けられている。平坦面３ｂは、基板７の横幅（短手方向の長さ）よりも幅広で、かつ基板７の長さ（長手方向の長さ）よりも長く形成されている。支持部材３は、基板７を支持する働きに加えて、ＬＥＤ光源部２が発生する熱をケース４およびキャップ５に伝熱する伝熱部材（または放熱部材）としての働きをも有している。支持部材３の中空の空間は、ＬＥＤ光源部２を制御および駆動するための回路部品を収納するために利用されてもよい。
【００２５】
ケース４は、基板７の長手方向に延びた管状（たとえば円管状）に形成されており、ＬＥＤ光源部２が発生する光を拡散して透過させる。このようなケース４は、ポリカーボネート等の樹脂材料（たとえば押出し成形品）からなっていてもよい。ケース４内の空間には、ＬＥＤ光源部２および支持部材３が収容されている。ケース４は、基板７よりも長く形成されており、支持部材３とほぼ同等の長さを有している。
【００２６】
一対のキャップ５は、支持部材３の両端にそれぞれ結合されており、それらの間にケース４を挟持している。キャップ５の外側に口金６が結合されている。口金６は、一対の端子６ａ，６ｂを有しており、直管型蛍光ランプ照明器具のソケットに機械的および電気的に接続できるように構成されている。一対のキャップ５には、それぞれ、人感センサモジュール１１を取り外し可能に装着することができるコネクタ１５が取り付けられている。すなわち、コネクタ１５は、キャップ５を介してケース４に取り付けられている。そして、人感センサモジュール１１は、コネクタ１５およびキャップ５を介して、ケース４に取り付けることができる。
【００２７】
ケース４の両端部には、コネクタ１５に対応する開口１６が下方側（照明対象領域に対向する位置）に形成されている。人感センサモジュール１１は、開口１６を通ってコネクタ１５に結合されて、このコネクタ１５に電気的に接続されている。実際の使用時には、一対のコネクタ１５のうちのいずれか一方が人感センサモジュール１１の接続のために用いられる。すなわち、いずれか一方のコネクタ１５に人感センサモジュール１１が接続される。未使用のコネクタ１５には、開口１６に整合し、かつコネクタ１５に結合可能なコネクタキャップ１７が装着されてもよい。
【００２８】
人感センサモジュール１１は、たとえば焦電型赤外線センサからなるセンサ本体２０と、センサ本体２０を保持するモジュールケース２１と、モジュールケース２１から引き出された端子ピン２２とを有している。モジュールケース２１は、ケース４の開口１６に整合する外形を有しており、端子ピン２２はコネクタ１５の接続端子位置と整合するように配置されている。センサ本体２０は、図４に図解的に示すように、感度中心軸２３を中心軸とする円錐形状の感度領域２４を有している。感度中心軸２３を含む切断面において感度領域２４は二等辺三角形を形成し、その二等辺三角形の頂角は８０度程度である。人感センサモジュール１１は、感度領域２４内への人の出入りを検出するモーションセンサとしての働きを有している。
【００２９】
照度センサモジュール１２および温度センサモジュール１３は、たとえば、ケース４の一端部に取り付けられている。これらのセンサモジュール１２，１３も、人感センサモジュール１１と同様に、ケース４の両端部に着脱自在に取り付け可能としてもよい。照度センサモジュール１２は、ＬＥＤランプ１の周囲の照度を検出する。温度センサモジュール１３は、たとえば、サーモパイル（thermopile）を含み、ＬＥＤランプ１の近傍に位置する人の体温を非接触で検出する非接触温度センサである。つまり、人感センサモジュール１１は感度領域２４への人の出入りを検出するのに対して、温度センサモジュール１３はＬＥＤランプ１の近傍で静止している人を検知することができる。
【００３０】
図５は、ＬＥＤモジュール８の構成例を示す断面図である。ＬＥＤモジュール８は、ＬＥＤチップ２７と、封止樹脂２８と、リード２９Ａ，２９Ｂと、リフレクタ３０とを含む。ＬＥＤモジュール８は、たとえば、幅が４．０ｍｍ、長さが２．０ｍｍ、厚さが０．６ｍｍ程度であり、小型でかつ薄型に構成されている。
リード２９Ａ，２９Ｂはそれぞれ、たとえばＣｕ−Ｎｉ合金からなる板状の部材である。リード２９Ａ，２９Ｂはそれぞれ、ＬＥＤモジュール８を面実装するための実装端子として用いられる。リフレクタ３０は、たとえば白色の樹脂からなる。
【００３１】
ＬＥＤチップ２７は、ＬＥＤモジュール８の光源であり、たとえば可視光を発光する。ＬＥＤチップ２７は、たとえば銀ペーストを介してリード２９Ｂに搭載されることにより、リード２９Ｂと電気的に接続されている。また、ＬＥＤチップ２７は、ワイヤ３１を介してリード２９Ａと電気的に接続されている。リード２９Ａ，２９Ｂを介してＬＥＤチップ２７に電流を供給することによって、ＬＥＤチップ２７が発光する。
【００３２】
封止樹脂２８は、ＬＥＤチップ２７を保護するためのものである。封止樹脂２８は、たとえば、ＬＥＤチップ２７が発した光に対して透光性を有するエポキシ樹脂からなる。封止樹脂２８には、たとえば、ＬＥＤチップ２７が発した光（たとえば青色光）によって励起されることにより異なる波長の光（たとえば黄色光）を発する蛍光物質（波長変換物質）が混合されていてもよい。たとえば、ＬＥＤチップ２７からの青色光と、封止樹脂２２に含まれる蛍光物質からの黄色光とを混色させた場合、ＬＥＤモジュール８は、白色光を発生することができる。
【００３３】
図６Ａおよび図６Ｂは、人感センサモジュール１１の検知エリアを説明するための図解的な正面図であり、照明器具４０にＬＥＤランプ１を取り付けた状態を示す。照明器具４０は、ＬＥＤランプ１の一対の口金６をそれぞれ保持する一対のソケット４１，４２を有している。一方のソケット４１は、口金６を機械的に保持するとともに、端子６ａ，６ｂからＬＥＤランプ１に電力を供給する機能を有している。他方のソケット４２は、ＬＥＤランプ１に対する電力供給機能はなく、専ら、口金６を機械的に保持する機能を有する。ＬＥＤランプ１の一対の口金６は、いずれか一方のみが外部から電力供給を受けて内部の電気回路にその電力を供給するように構成されており、他方は、照明器具４０に対する機械的な取り付けのために設けられていて、内部の電気回路への給電機能を有していない。したがって、照明器具４０の一方のソケット４１と、給電機能を有する口金６とを接続するようにＬＥＤランプ１を照明器具４０に取り付けると、図６Ａまたは図６Ｂのいずれかの状態となる。すなわち、照明器具４０の取り付け方向によっては、ＬＥＤランプ１の長手方向（基板７の長手方向と同じ）に関して、人感センサモジュール１１の配置が逆転する。むろん、この配置の逆転は、人感センサモジュール１１を一対のコネクタ１５のうちの一方から他方へと付け替えることによって解消できる。
【００３４】
ＬＥＤランプ１の光源部２は、発光域９の中心９ａを通る照明中心軸３５を中心に広がる照明領域３６を有している。照明中心軸３５は、基板７の法線方向に沿って延びており、ケース４の長手方向（基板７の長手方向と同じ）と直交している。照明領域３６は、ＬＥＤランプ１から離れるに従って広がる形状を有しており、照明中心軸３５に沿ってＬＥＤランプ１から離れた所定距離範囲（たとえば０．５ｍ〜３ｍ程度）に照明対象領域３７が設定されている。この実施形態では、人感センサモジュール１１は、その感度中心軸２３が照明中心軸３５と非平行になるようにケース４に取り付けられている。より具体的には、感度中心軸２３は、ケース４の長手方向端部を起点として、照明中心軸３５に接近する方向に傾斜している。そして、感度中心軸２３と照明中心軸３５とは、照明対象領域３７内で交差している。図６Ａおよび図６Ｂには、人感センサモジュール１１を発光域９の中心９ａに配置して、照明中心軸３５と感度中心軸２３とを一致させた場合の仮想的な感度領域２４ｉが二点鎖線で表されている。この仮想的な感度領域２４ｉの感度中心軸２３ｉ（照明中心軸３５と実質的に一致）と、実際の感度領域２４の感度中心軸２３とは、照明対象領域３７で交差している。換言すれば、ＬＥＤ光源部２から所定距離離れた位置（照明対象領域３７内の位置）において、実際の感度領域２４の中心と仮想的な感度領域２４ｉの中心とが一致している。
【００３５】
人感センサモジュール１１を発光域９の中心９ａに配置すると、ＬＥＤランプ１は、その点灯時において、長手方向中央に暗部を有することになるから、見栄えが悪く、配光にも影響する。そこで、この実施形態では、人感センサモジュール１１をＬＥＤランプ１の長手方向端部に配置することによって、点灯時の見栄えおよび配光の向上を図っている。一方、感度中心軸２３を照明中心軸３５と平行にすると、照明対象領域３７と人感センサモジュール１１の感度領域２４とがずれてしまい、照明対象領域３７の周辺領域にどの方向から人が立ち入るかによって、感知タイミングがばらついてしまう。そこで、この実施形態では、照明対象領域３７内で照明中心軸３５と感度中心軸２３とが交差するように、感度中心軸２３を傾斜させて人感センサモジュール１１をケース４に取り付けている。これにより、照明対象領域３７の周辺領域への人の立ち入りを、タイミングのばらつきを抑制しつつ、良好に検出できる。
【００３６】
図７は、ＬＥＤランプ１の電気的構成を説明するためのブロック図である。ＬＥＤランプ１は、制御装置としてのマイクロコンピュータ５０と、マイクロコンピュータ５０によって制御されるＬＥＤドライバ５１とを有している。口金６の端子６ａ，６ｂからの交流電力（たとえば１００Ｖ）は、ＡＣ／ＤＣコンバータ５２によって直流電力（たとえば５Ｖ）に変換されてマイクロコンピュータ５０等に供給される。この電力を受けて、マイクロコンピュータ５０、人感センサモジュール１１、照度センサモジュール１２および温度センサモジュール１３が動作する。センサモジュール１１，１２，１３の出力信号は、マイクロコンピュータ５０に入力されている。一方、口金６の端子６ａ，６ｂからの交流電力は、リレー５３を介して、ＬＥＤドライバ５１に供給されている。
【００３７】
ＬＥＤドライバ５１は、ＬＥＤ光源部２に電力を供給し、ＬＥＤ光源部２に備えられたＬＥＤモジュール８（より具体的にはＬＥＤチップ２７）を駆動する。さらに、具体的には、ＬＥＤドライバ５１は、ＡＣ／ＤＣコンバータ５５と、駆動回路５６とを有している。ＡＣ／ＤＣコンバータ５５は、口金６の端子６ａ，６ｂから供給される交流電力（たとえば１００Ｖ）を直流電力（たとえば２７Ｖ）に変換する。駆動回路５６は、ＡＣ／ＤＣコンバータ５５が生成する直流電力のＬＥＤ光源部２への供給をオン／オフするスイッチング素子を含む。ＬＥＤドライバ５１は、ＰＷＭ（パルス幅変調）制御信号の入力を受け付けるＰＷＭ入力端子５４を有している。このＰＷＭ入力端子５４には、マイクロコンピュータ５０からＰＷＭ制御信号が入力される。駆動回路５６は、ＰＷＭ入力端子５４に入力されるＰＷＭ制御信号に応じて、ＬＥＤ光源部２をオン／オフするように構成されている。よって、ＰＷＭ制御信号のデューティ比に応じた電力でＬＥＤ光源部２が駆動されることになる。
【００３８】
リレー５３は、リレードライバ５８によってオン／オフ駆動される。リレードライバ５８には、マイクロコンピュータ５０からオン／オフ制御信号が入力されている。リレードライバ５８は、そのオン／オフ制御信号に応じて、リレー５３をオン／オフする。これにより、ＬＥＤ光源部２を点灯／消灯できる。
図８は、マイクロコンピュータ５０の制御内容の一例を示すフローチャートであり、所定の制御周期毎に繰り返される処理が示されている。照明器具４０の電源スイッチ４３（図７参照）がオンされて電源投入されると（ステップＳ１）、マイクロコンピュータ５０は、人感センサモジュール１１、照度センサモジュール１２および温度センサモジュール１３の初期化処理を実行する（ステップＳ２）。電源未投入のときは、リレー５３はオフ状態に保たれている。マイクロコンピュータ５０は、電源投入直後は、リレー５３をオフ状態に保持してＬＥＤ光源部２を消灯状態で待機させる（ステップＳ３）。その状態で、マイクロコンピュータ５０は、照度センサモジュール１２の出力信号を取り込む（ステップＳ４）。ＬＥＤ光源部２が消灯状態であるので、照度センサモジュール１２の出力信号は、周囲光の照度Ａｉを表す。マイクロコンピュータ５０は、照度センサモジュール１２によって検出された周囲光照度Ａｉと、所定の待機点灯しきい値ＳＢｔｈとを比較する（ステップＳ５）。周囲光照度Ａｉが待機点灯しきい値ＳＢｔｈを超えていれば（ステップＳ５：ＮＯ）、マイクロコンピュータ５０は、リレー５３を引き続きオフ状態として、ＬＥＤ光源部２を消灯状態で待機させる（ステップＳ３）。
【００３９】
周囲光照度Ａｉが待機点灯しきい値ＳＢｔｈ以下となると（ステップＳ５：ＹＥＳ）、すなわち、周囲が十分に暗くなると、マイクロコンピュータ５０は、リレー５３をオンさせて、待機点灯モードによる制御を開始する（ステップＳ６）。待機点灯モードとは、全点灯状態のときにＬＥＤ光源部２に供給される電力を１００％とすると、１００％未満の電力（たとえば１０％〜３０％程度）でＬＥＤ光源部２を駆動する点灯モードであり、常夜灯モードと言い換えることもできる。より具体的には、マイクロコンピュータ５０は、ＬＥＤドライバ５１に対して、１００％未満のデューティ比（たとえば１０％〜３０％）のＰＷＭ制御信号を供給する。
【００４０】
さらに、マイクロコンピュータ５０は、人感センサモジュール１１の出力信号に基づいて、感度領域２４（図６Ａおよび６Ｂ参照）内での人の動きの有無を判定する（ステップＳ７）。人の動きが検出されなければ（ステップＳ７：ＮＯ）、マイクロコンピュータ５０は、待機点灯モードを継続する（ステップＳ６）。人の動きが検出されると（ステップＳ７：ＹＥＳ）、マイクロコンピュータ５０は、ＬＥＤ光源部２を全点灯させる（ステップＳ８）。より具体的には、マイクロコンピュータ５０は、ＬＥＤドライバ５１に対して、１００％のデューティ比のＰＷＭ制御信号（連続点灯信号）を供給する。
【００４１】
次に、マイクロコンピュータ５０は、温度センサモジュール１３の出力信号を取り込み（ステップＳ９）、温度センサモジュール１３の温度検知対象域に存在する対象の温度を検出する。一般的には、温度検知対象域は、人感センサモジュール１１の感度領域２４よりも狭い範囲の領域である。この温度センサモジュール１３の出力信号に基づいて、マイクロコンピュータ５０は、ＬＥＤランプ１の近くに静止状態の人が存在しているか否かを判断する（ステップＳ１０）。静止状態の人とは、人感センサモジュール１１によって検知可能な動きをしていない人を意味し、完全に静止していることを意味しているわけではない。マイクロコンピュータ５０は、温度センサモジュール１３によって所定温度（たとえば３５℃）以上の対象が検知されていれば、ＬＥＤランプ１の近くに静止状態の人が存在していると判断する。静止状態の人が検知されると（ステップＳ１０：ＹＥＳ）、マイクロコンピュータ５０は、ＬＥＤ光源部２を全点灯状態に保持する（ステップＳ８）。
【００４２】
静止状態の人が検知されなければ（ステップＳ１０：ＮＯ）、マイクロコンピュータ５０は、内部のタイマをリセットさせ、その計時動作を開始させる（ステップＳ１１）。マイクロコンピュータ５０は、さらに、人感センサモジュール１１の出力信号を参照し、人の動きが検知されていれば（ステップＳ１２：ＹＥＳ）、ステップＳ８に戻って、ＬＥＤ光源部２の全点灯状態を維持する。人の動きが検知されないときは（ステップＳ１２：ＮＯ）、マイクロコンピュータ５０は、タイマカウントを進める（ステップＳ１３）。タイマカウント値は、タイマスタート（静止人体検知なし）からの経過時間を表す。マイクロコンピュータ５０は、この経過時間が所定の待機しきい値（たとえば３０秒）に達したかどうかを判断する（ステップＳ１４）。経過時間が待機しきい値に達しなければ（ステップＳ１４：ＮＯ）、ステップＳ１２からの処理が繰り返される。経過時間が待機しきい値に達すると（ステップＳ１４：ＹＥＳ）、マイクロコンピュータ５０は、ステップＳ３に戻って、リレー５３をオフし、ＬＥＤ光源部２を消灯する。ただし、ＬＥＤ光源部２を消灯するのではなく、ステップＳ６に戻って、ＬＥＤ光源部２を待機点灯状態としてもよい。
【００４３】
図９は、待機点灯モード（図８のステップＳ６）におけるマイクロコンピュータ５０の制御動作を説明するためのフローチャートである。マイクロコンピュータ５０は、照度センサモジュール１２の出力信号を取り込む（ステップＳ２１）。
待機点灯モードでは、照度センサモジュール１２は、周囲光のみならず、待機点灯状態で点灯されているＬＥＤ光源部２が発生する光をも検出する。すなわち、照度センサモジュール１２の出力信号は、周囲光照度Ａｉと、ＬＥＤ光源部２が発生する光による寄与分である自発光照度Ｓｉとの重ね合わせになっている。そこで、マイクロコンピュータ５０は、ＬＥＤ光源部２の駆動状態に基づいて自発光照度Ｓｉを求める（ステップＳ２２。自発光照度演算手段）。より具体的には、マイクロコンピュータ５０は、ＬＥＤドライバ５１に与えているＰＷＭ制御信号のデューティ比に基づいて、自発光照度Ｓｉを求める。
【００４４】
次に、マイクロコンピュータ５０は、照度センサモジュール１２の出力信号から自発光照度Ｓｉを減じた周囲光照度Ａｉが待機点灯しきい値ＳＢｔｈ以下かどうかを判断する（ステップＳ２３）。この判断は、照度センサモジュール１２によって検出される照度Ｄｉ（＝Ｓｉ＋Ａｉ）が待機点灯しきい値ＳＢｔｈに自発光照度Ｓｉを加えた値（Ｓｉ＋ＳＢｔｈ）以下かどうか、すなわち、Ｄｉ≦Ｓｉ＋ＳＢｔｈかどうかを判断することによって行ってもよい。むろん、照度センサモジュール１２によって検出される照度Ｄｉから自発光照度Ｓｉを減じて周囲光照度Ａｉ（＝Ｄｉ−Ｓｉ）を求め、この周囲光照度Ａｉが待機点灯しきい値ＳＢｔｈ以下かどうか、すなわち、Ｄｉ−Ｓｉ≦ＳＢｔｈかどうかを判断してもよい。
【００４５】
周囲光照度Ａｉが待機点灯しきい値ＳＢｔｈ以下のときは（ステップＳ２３：ＹＥＳ）、マイクロコンピュータ５０は、その周囲光照度Ａｉ（＝Ｄｉ−Ｓｉ）に応じたデューティ比を設定し（ステップＳ２４）、そのデューティ比のＰＷＭ制御信号をＬＥＤドライバ５１に供給する（ステップＳ２５）。これにより、そのデューティ比に応じた電力、すなわち周囲の明るさに応じた電力でＬＥＤ光源部２が駆動されることになる。その後の処理は、ステップＳ２１に戻る。
【００４６】
周囲光照度Ａｉが待機点灯しきい値ＳＢｔｈを超えているときは（ステップＳ２３：ＮＯ）、マイクロコンピュータ５０は、待機点灯モードを終了して、ＬＥＤ光源部２を消灯待機状態とする（図８のステップＳ３）。すなわち、マイクロコンピュータ５０は、リレー５３をオフして、ＬＥＤ光源部２を消灯させる。
前記ステップＳ２３〜Ｓ２５およびＳ３の処理は、マイクロコンピュータ５０のオン／オフ制御手段としての働きである。また、ステップＳ２４，Ｓ２５の処理は、マイクロコンピュータ５０の照度適応駆動手段としての働きである。すなわち、マイクロコンピュータ５０は、周囲光照度に応じてＬＥＤ光源部２を駆動するようにプログラムされている。
【００４７】
以上のように、この実施形態によれば、ＬＥＤランプ１に照度センサモジュール１２が備えられている。そのため、照明器具に照度センサが備えられていなくても、周囲の照度に応じてＬＥＤ光源部２の駆動状態を変化させることができる。そして、照明中心軸３５と人感センサモジュール１１の感度中心軸２３とが非平行であり、人感センサモジュール１１をケース４の長手方向端部に配置して点灯時の見栄えをよくしつつ、照明対象領域３７の周辺に立ち入る人を良好に検知できるように感度中心軸２３が設定されている。これにより、点灯時の見栄えと、良好な人検知機能とを両立したＬＥＤランプを提供できる。
【００４８】
また、この実施形態では、ＬＥＤランプ１に備えられたコネクタ１５に人感センサモジュール１１を着脱できるので、人検知機能を任意に付加できる。すなわち、人検知機能のない仕様と、人検知機能のある仕様とに共通に適用可能な設計のＬＥＤランプ１を提供できる。加えて、照明器具の種類や配置に応じて、適切な構造の人感センサモジュール１１を選択して使用することもできる。しかも、ケース４の長手方向両端部にそれぞれコネクタ１５が備えられているので、人感センサモジュール１１をケース４のいずれの端部にでも配置できる。よって、照明器具の配置等の個別の事情に応じて人感センサモジュール１１の配置を任意に選択できる。
【００４９】
一方、ＬＥＤランプ１に照度センサモジュール１２が内蔵されているので、ＬＥＤ光源部２が点灯状態のときには、照度センサモジュール１２は周囲光照度Ａｉのみならず自発光照度Ｓｉをも検出するおそれがある。そこで、この実施形態では、照度センサモジュール１２の出力信号を自発光照度Ｓｉの影響を排除して適切に処理し、周囲光照度Ａｉに応じてＬＥＤ光源部２を制御するようにしている。これにより、周囲の明るさに応じてＬＥＤ光源部２を適切に制御できるＬＥＤランプ１を提供できる。しかも、自発光照度Ｓｉの影響を排除できるので、照度センサモジュール１２を或る程度自由に配置できるので、ＬＥＤランプ１の設計が容易になる。
【００５０】
また、この実施形態では、ＬＥＤ光源部２の駆動状態（より具体的にはＰＷＭ制御信号のデューティ比）に基づいて自発光照度Ｓｉが演算されている。これにより、照度センサモジュール１２によって検出された検出照度Ｄｉに対する自発光照度Ｓｉの寄与分を正確に見積もることができる。その結果、周囲光照度Ａｉを適切に評価できるので、ＬＥＤ光源部２を周囲の明るさに応じて一層適切に駆動することができる。とくに、この実施形態では、待機点灯モードにおいて、周囲光照度Ａｉに応じたデューティ比が設定されるので、周囲光照度Ａが高いほど小さなデューティ比を設定してＬＥＤ光源部２の駆動電力を低くすることができる。これにより、ＬＥＤ光源部２を周囲の明るさに応じた適切な発光状態とすることができ、かつ省エネルギーにも貢献できる。
【００５１】
また、この実施形態では、ＬＥＤランプ１は、人感センサモジュール１１を備えているので、その感度領域２４への人の立ち入りの有無に応じてＬＥＤ光源部２を駆動できる。具体的には、人感センサモジュール１１によって人の動きが検出されると、ＬＥＤ光源部２の駆動電力が増加し、その発光光量が多くなる。これにより、必要時に限ってＬＥＤ光源部２から必要光量の光が発せられるので、省エネルギー性を高めることができる。そして、ＬＥＤランプ１に人感センサモジュール１１が内蔵されているので、照明器具に人感センサが備えられていなくても、人感知機能を有する照明装置を提供できる。
【００５２】
さらに、この実施形態では、ＬＥＤランプ１は、その近傍の温度検知対象域に存在する対象の温度を非接触で検出する温度センサモジュール１３を備えていて、この温度センサモジュール１３によって、人感センサモジュール１１では検知できない静止状態の人体を検知できる。そして、この温度センサモジュール１３の出力信号に応じてＬＥＤ光源部２が制御されるので、温度検知対象域に静止した人が居るときに、ＬＥＤ光源部２が消灯されたり待機点灯状態に移行したりすることがない。また、ＬＥＤランプ１に温度センサモジュール１３が内蔵されているので、照明器具に温度センサが備えられていなくても、静止人体感知機能を有する照明装置を提供できる。
【００５３】
図１０は、この発明の第２の実施形態に係るＬＥＤランプの電気的構成を説明するためのブロック図である。ＬＥＤランプの構造的な構成は、前述の第１の実施形態とほぼ同様であるので、この実施形態の説明においては、必要に応じて、図１〜図６Ｂを併せて参照する。また、図１０において、前述の図８に示された各部との対応個所は、同一参照符号で示す。
【００５４】
この実施形態のＬＥＤランプ１０１は、モード設定スイッチ６０と、リセットスイッチ６１と、メモリ６２とを備えている。また、この実施形態のＬＥＤランプ１０１は、温度センサモジュール１３を備えていない。
モード設定スイッチ６０およびリセットスイッチ６１は、ＬＥＤランプ１０１のケース４またはキャップ５に配置されていてもよい。図１には、ケース４に配置されたモード設定スイッチ６０およびリセットスイッチ６１を二点鎖線で示す。
【００５５】
モード設定スイッチ６０は、ＬＥＤランプ１０１の動作モードを、通常モードと常夜灯モードとのいずれかに設定するために操作者によって操作されるスイッチである。通常モードとは、人感センサモジュール１１によって人が検知されるとＬＥＤ光源部２が全点灯状態となり、人感センサモジュール１１によって一定時間以上人が検知されないときにＬＥＤ光源部２が消灯状態となる動作モードである。常夜灯モードとは、人感センサモジュール１１によって人が検知されるとＬＥＤ光源部２が全点灯状態となり、人感センサモジュール１１によって一定時間以上人が検知されないときにＬＥＤ光源部２が待機点灯状態となる動作モードである。この実施形態では、待機点灯状態のときには、ＬＥＤ光源部２は、周囲光照度によらずに一定の電力（予め定める一定のデューティ比。１００％未満。たとえば３０％程度）で駆動される。また、この実施形態では、常夜灯モードにおいて、周囲光照度が所定の待機点灯しきい値を超えると、ＬＥＤ光源部２が消灯状態となる。
【００５６】
メモリ６２は、待機点灯状態のときの自発光照度を記憶するための記憶手段である。メモリ６２は、電源遮断時にも記憶値を保持することができる書き換え可能な不揮発性メモリで構成されていることが好ましい。
リセットスイッチ６１は、メモリ６２の記憶値を更新するときに操作者によって操作されるスイッチである。
【００５７】
図１１は、マイクロコンピュータ５０による制御動作例を説明するためのフローチャートであり、所定の制御周期毎に繰り返される処理が示されている。照明器具４０の電源スイッチ４３（図１０参照）がオンされて電源投入されると（ステップＳ３１）、マイクロコンピュータ５０は、人感センサモジュール１１および照度センサモジュール１２の初期化処理を実行する（ステップＳ３２）。電源未投入のときは、リレー５３はオフ状態に保たれている。マイクロコンピュータ５０は、電源投入直後は、リレー５３をオフ状態に保持してＬＥＤ光源部２を消灯状態で待機させる（ステップＳ３３）。その状態で、マイクロコンピュータ５０は、モード設定スイッチ６０によって設定された動作モードを判定する（ステップＳ３４）。
【００５８】
通常モードが設定されているときには、マイクロコンピュータ５０は、人感センサモジュール１１の出力信号に基づいて、感度領域２４（図６Ａおよび６Ｂ参照）内での人の動きの有無を判定する（ステップＳ３５）。人の動きが検出されなければ（ステップＳ３５：ＮＯ）、ステップＳ３３に戻り、マイクロコンピュータ５０は、ＬＥＤ２を消灯状態に保持する。人の動きが検出されると（ステップＳ３５：ＹＥＳ）、マイクロコンピュータ５０は、ＬＥＤ光源部２を全点灯させる（ステップＳ３６）。より具体的には、マイクロコンピュータ５０は、リレー５３をオン状態に制御し、さらに、ＬＥＤドライバ５１に対して１００％のデューティ比のＰＷＭ制御信号（連続点灯信号）を供給する。
【００５９】
さらに、マイクロコンピュータ５０は、内部のタイマをリセットさせ、その計時動作を開始させる（ステップＳ３７）。マイクロコンピュータ５０は、次に、人感センサモジュール１１の出力信号を参照し、人の動きが検知されていれば（ステップＳ３８：ＹＥＳ）、ステップＳ３６に戻って、ＬＥＤ光源部２の全点灯状態を維持する。人の動きが検知されないときは（ステップＳ３８：ＮＯ）、マイクロコンピュータ５０は、タイマカウントを進める（ステップＳ３９）。タイマカウント値は、タイマスタート（人の動きの検知なし）からの経過時間を表す。マイクロコンピュータ５０は、この経過時間が所定の待機しきい値（たとえば３０秒）に達したかどうかを判断する（ステップＳ４０）。経過時間が待機しきい値に達しなければ（ステップＳ４０：ＮＯ）、ステップＳ３８からの処理が繰り返される。経過時間が待機しきい値に達すると（ステップＳ４０：ＹＥＳ）、マイクロコンピュータ５０は、ステップＳ３３に戻って、リレー５３をオフし、ＬＥＤ光源部２を消灯する。
【００６０】
一方、常夜灯モードと判定（ステップＳ３４）されると、マイクロコンピュータ５０は、常夜灯モードでの初回点灯かどうか、すなわち、始めて常夜灯モードで点灯されるのかどうかが判断する（ステップＳ４１）。常夜灯モードでの初回点灯と判断されると（ステップＳ４１：ＹＥＳ）、マイクロコンピュータ５０は、リレー５３をオンさせ、さらにＬＥＤ光源部２を待機点灯状態とする（ステップＳ４２）。すなわち、マイクロコンピュータ５０は、予め定める待機点灯用デューティ比（たとえば３０％程度）を設定し、そのデューティ比のＰＷＭ制御信号をＬＥＤドライバ５１に供給する。これにより、ＬＥＤ光源部２が待機点灯状態となる。その状態で、マイクロコンピュータ５０は、照度センサモジュール１２の出力信号を取り込み、自発光照度Ｓｉとしてメモリ６２に書き込む（ステップＳ４３。書き込み手段）。照度センサモジュール１２の出力信号が自発光照度Ｓｉに相当するのは、周囲光照度Ａｉが零の場合である。そこで、ＬＥＤランプ１０１の取扱説明書等には、常夜灯モードでの初回点灯は、外光のない環境で行うべき指示を記載しておく。この指示に従って常夜灯モードでの初回点灯を行うことによって、外光の影響のない自発光照度Ｓｉをメモリ６２に書き込むことができる。
【００６１】
常夜灯モードでの初回点灯か否かの判定（ステップＳ４１）は、メモリ６２に自発光照度Ｓｉが書込済みか否かの判定と言い換えることもできる。
常夜灯モードでの初回点灯でないと判断されると（ステップＳ４１：ＮＯ）、マイクロコンピュータ５０は、リセットスイッチ６１が操作された後の点灯かどうかを判断する（ステップＳ４４）。リセットスイッチ６１の操作後であれば、ステップＳ４２からの動作が行われ、自発光照度Ｓｉがメモリ６２に書き込まれる（ステップＳ４３）。すなわち、メモリ６２の記憶値が更新される。常夜灯モードでの初回点灯を外光のない環境で行うことができなかった場合には、リセットスイッチ６１を操作した後に常夜灯モードでの点灯を行うことによって、自発光照度Ｓｉの修正を行うことができる。このことも、ＬＥＤランプ１０１の取扱説明書に記載しておけばよい。
【００６２】
このように、メモリ６２に自発光照度Ｓｉが書き込み済みのときは、常夜灯モードを設定して電源投入してもメモリ６２への書き込み動作が禁止され、メモリ６２に自発光照度Ｓｉが書き込み済みでないときには、メモリ６２への自発光照度Ｓｉの書き込みが許容される。その一方で、メモリ６２に自発光照度Ｓｉを書き込み済みであって、したがってメモリ６２への自発光照度Ｓｉの書き込みが禁止されているときでも、リセットスイッチ６２を操作することによって、その禁止が解除される。すなわち、リセットスイッチ６２は、禁止解除操作手段である。リセットスイッチ６２が操作されたときは、メモリ６２への自発光照度Ｓｉの一回の書き込みが許容される。
【００６３】
自発光照度Ｓｉがメモリ６２に書き込まれた後（ステップＳ４３）、および２回目以降の常夜灯モードでの点灯時にリセットスイッチ６１が操作されなかったとき（ステップＳ４４：ＮＯ）には、マイクロコンピュータ５０は、照度センサモジュール１２の出力信号を取り込む。待機点灯状態では、照度センサモジュール１２は、周囲光のみならず、待機点灯状態で点灯されているＬＥＤ光源部２が発生する光をも検出する。すなわち、照度センサモジュール１２の出力信号は、周囲光照度Ａｉと、ＬＥＤ光源部２が発生する光による寄与分である自発光照度Ｓｉとの重ね合わせになっている。そこで、マイクロコンピュータ５０は、照度センサモジュール１２の出力信号から自発光照度Ｓｉ（メモリ６２の記憶値）を減じた周囲光照度Ａｉが待機点灯しきい値ＳＢｔｈ以下かどうかを判断する（ステップＳ４５。比較手段）。この判断は、照度センサモジュール１２によって検出される照度Ｄｉ（＝Ｓｉ＋Ａｉ）が待機点灯しきい値ＳＢｔｈに自発光照度Ｓｉ（メモリ６２の記憶値）を加えた値（Ｓｉ＋ＳＢｔｈ）以下かどうか、すなわち、Ｄｉ≦Ｓｉ＋ＳＢｔｈかどうかを判断することによって行ってもよい。むろん、照度センサモジュール１２によって検出される照度Ｄｉから自発光照度Ｓｉ（メモリ６２の記憶値）を減じて周囲光照度Ａｉ（＝Ｄｉ−Ｓｉ）を求め、この周囲光照度Ａｉが待機点灯しきい値ＳＢｔｈ以下かどうか、すなわち、Ｄｉ−Ｓｉ≦ＳＢｔｈかどうかを判断してもよい。
【００６４】
周囲光照度Ａｉが待機点灯しきい値ＳＢｔｈ以下のときは（ステップＳ４５：ＹＥＳ）、マイクロコンピュータ５０は、所定の待機点灯用デューティ比（たとえば３０％程度）を設定し、そのデューティ比のＰＷＭ制御信号をＬＥＤドライバ５１に供給する（ステップＳ４６）。これにより、そのデューティ比に応じた電力でＬＥＤ光源部２が駆動され、ＬＥＤ光源部２は待機点灯状態とされることになる。
【００６５】
周囲光照度Ａｉが待機点灯しきい値ＳＢｔｈを超えているときは（ステップＳ４５：ＮＯ）、マイクロコンピュータ５０は、ＬＥＤ光源部２を消灯待機状態とする（ステップＳ３３）。すなわち、マイクロコンピュータ５０は、リレー５３をオフして、ＬＥＤ光源部２を消灯させる。
ＬＥＤ光源部２が消灯状態のときは、照度センサモジュール１２は、周囲光照度Ａｉのみを検出する（つまりＤｉ＝Ａｉ）。すなわち、自発光照度Ｓｉは零である。このときにも、ステップＳ４５の判断（メモリ６２に格納された自発光照度Ｓｉ（＞０）を用いた判断）をそのまま適用しても差し支えないが、メモリ６２に記憶された自発光照度Ｓｉを用いずに、自発光照度Ｓｉを零とみなして、検出照度Ｄｉと待機点灯しきい値ＳＢｔｈとをそのまま比較してもよい。
【００６６】
ＬＥＤ光源部２が待機点灯状態とされると（ステップＳ４６）、マイクロコンピュータ５０は、人感センサモジュール１１の出力信号に基づいて、感度領域２４（図６Ａおよび６Ｂ参照）内での人の動きの有無を判定する（ステップＳ４７）。人の動きが検出されなければ（ステップＳ４７：ＮＯ）、マイクロコンピュータ５０は、ステップＳ４５からの処理を繰り返す。人の動きが検出されると（ステップＳ４７：ＹＥＳ）、マイクロコンピュータ５０は、ＬＥＤ光源部２を全点灯させる（ステップＳ４８）。より具体的には、マイクロコンピュータ５０は、ＬＥＤドライバ５１に対して、１００％のデューティ比のＰＷＭ制御信号（連続点灯信号）を供給する。
【００６７】
次に、マイクロコンピュータ５０は、内部のタイマをリセットさせ、その計時動作を開始させる（ステップＳ４９）。マイクロコンピュータ５０は、さらに、人感センサモジュール１１の出力信号を参照し、人の動きが検知されていれば（ステップＳ５０：ＹＥＳ）、ステップＳ４８に戻って、ＬＥＤ光源部２の全点灯状態を維持する。人の動きが検知されないときは（ステップＳ５０：ＮＯ）、マイクロコンピュータ５０は、タイマカウントを進める（ステップＳ５１）。タイマカウント値は、タイマスタート（人の動き検知なし）からの経過時間を表す。マイクロコンピュータ５０は、この経過時間が所定の待機しきい値（たとえば３０秒）に達したかどうかを判断する（ステップＳ５２）。経過時間が待機しきい値に達しなければ（ステップＳ５２：ＮＯ）、ステップＳ５０からの処理が繰り返される。経過時間が待機しきい値に達すると（ステップＳ５２：ＹＥＳ）、マイクロコンピュータ５０は、ステップＳ４５に戻って周囲光照度Ａｉの判定を行い、周囲光照度Ａｉが待機点灯しきい値ＳＢｔｈ以下であれば、ＬＥＤ光源部２を待機点灯状態とする（ステップＳ４６）。
【００６８】
ステップＳ４６，Ｓ３３の処理は、マイクロコンピュータ５０のオン／オフ制御手段としての働きである。すなわち、マイクロコンピュータ５０は、人感センサモジュール１１や照度センサモジュール１２の検知結果に応じてＬＥＤ光源部２をオン／オフ制御するようにプログラムされている。
また、モード設定スイッチ６０は、常夜灯モードまたは通常モードによる点灯を指示する点灯指示手段である。そして、モード設定スイッチ６０によって常夜灯モードを設定した状態で電源投入すると、照度センサモジュール１２の出力信号が自発光照度Ｓｉとしてメモリ６２に書き込まれるので、モード設定スイッチ６０は、自発光照度Ｓｉを書き込ませるための書き込み指示手段としての機能を有している。
【００６９】
以上のように、この実施形態によれば、外光のない環境で常夜灯モードでの初回点灯を行うことによって、簡単に、自発光照度Ｓｉをメモリ６２に書き込むことができる。このメモリ６２に書き込まれた自発光照度Ｓｉを用いることによって、照度センサモジュール１２の出力信号（検出照度Ｄｉ）に基づく周囲光照度Ａｉの評価を適切に行うことができる。また、リセットスイッチ６１を操作した後に常夜灯モードでＬＥＤランプ１を点灯させることにより、メモリ６２の記憶値を書き換えることができる。したがって、常夜灯モードでの初回点灯が外光のある環境で行われた場合でも、その後の操作によって、正確な自発光照度Ｓｉをメモリ６２に書き込める。
【００７０】
図１２は、この発明の第３の実施形態を説明するための図であり、前述の図９に示した待機点灯モードの代わりに適用することができる待機点灯モードの動作を示すフローチャートである。この実施形態の説明では、前述の図１〜図８を併せて参照する。
待機点灯モード（図８のステップＳ６）において、マイクロコンピュータ５０は、照度センサモジュール１２の出力信号をサンプリングする（ステップＳ６１）。待機点灯モードでは、照度センサモジュール１２は、周囲光のみならず、待機点灯状態で点灯されているＬＥＤ光源部２が発生する光をも検出する。しかし、待機点灯状態では、ＰＷＭ周期中のオン期間にはＬＥＤ光源部２は点灯し、そのオフ期間にはＬＥＤ光源部２は消灯している。そこで、マイクロコンピュータ５０は、ＰＷＭ周期中のオフ期間中に照度センサモジュール１２の出力信号をサンプリングする（ステップＳ６１。サンプリング手段）。このサンプリングされた照度センサモジュール１２の出力信号は、周囲光照度Ａｉとして用いることができる。
【００７１】
次に、マイクロコンピュータ５０は、周囲光照度Ａｉ（ステップＳ６１でサンプリングされた値）が待機点灯しきい値ＳＢｔｈ以下かどうかを判断する（ステップＳ６２）。周囲光照度Ａｉが待機点灯しきい値ＳＢｔｈ以下のときは（ステップＳ６２：ＹＥＳ）、マイクロコンピュータ５０は、その周囲光照度Ａｉに応じたデューティ比を設定し（ステップＳ６３。デューティ比設定手段）、そのデューティ比のＰＷＭ制御信号をＬＥＤドライバ５１に供給する（ステップＳ６４。ＰＷＭ制御手段）。これにより、そのデューティ比に応じた電力、すなわち周囲の明るさに応じた電力でＬＥＤ光源部２が駆動されることになる。
【００７２】
周囲光照度Ａｉが待機点灯しきい値ＳＢｔｈを超えているときは、マイクロコンピュータ５０は、待機点灯モードを終了して、ＬＥＤ光源部２を消灯待機状態とする（図８のステップＳ３）。すなわち、マイクロコンピュータ５０は、リレー５３をオフして、ＬＥＤ光源部２を消灯させる。
なお、周囲光照度Ａｉに応じてＰＷＭ制御信号のデューティ比を可変設定する必要は必ずしもなく、待機点灯状態のときのデューティ比を一定値（たとえば３０％程度）に固定してもよい。この場合には、ステップＳ６３の処理を省き、ステップＳ６４において当該一定のデューティ比のＰＷＭ制御信号を生成すればよい。
【００７３】
図１３は、待機点灯モードにおいて照度センサモジュール１２の出力信号をサンプリングするタイミングを説明するための図解的なタイムチャートである。マイクロコンピュータ５０は、一定のＰＷＭ周波数のＰＷＭ制御信号を生成する。たとえば、ＰＷＭ周波数が１ｋＨｚのとき、ＰＷＭ周期は、１ミリ秒である。待機点灯状態では、デューティ比が１００％未満に設定されるので、ＰＷＭ周期中にオン期間とオフ期間とが存在する。ＬＥＤドライバ５１は、オン期間にＬＥＤ光源部２に通電し、オフ期間にはＬＥＤ光源部２への電力供給を遮断する。マイクロコンピュータ５０は、ＰＷＭ周期のオフ期間中（好ましくはその期間の中央付近）のタイミングで、照度センサモジュール１２の出力信号をサンプリングする。サンプリングに要する時間はマイクロ秒のオーダーであるので、ＰＷＭ周期中のオフ期間にそのサンプリングを完了できる。ＰＷＭ周波数を２００Ｈｚ以上とすれば、人間の目にはＬＥＤ光源部２が連続発光しているように見える。したがって、見かけ上の連続点灯状態で待機点灯を行いながら、自発光照度Ｓｉの影響を排除して、周囲光照度Ａｉを検出できる。
【００７４】
このように、この実施形態によれば、ＰＷＭ周期中のオフ期間に照度センサモジュール１２の出力信号がサンプリングされるので、自発光照度Ｓｉの影響を排除して、正確な周囲光照度Ａｉを検出できる。そして、その正確な周囲光照度Ａｉを用いることによって、ＬＥＤ光源部２を周囲の明るさに応じて適切に制御できる。
図１４は、この発明の第４の実施形態に係るＬＥＤランプ１０２の構成を説明するための断面図である。ＬＥＤランプ１０２は、前述のＬＥＤランプ１，１０１と同様な直管型蛍光ランプと同様の構成を有しており、たとえば、埋め込み型照明器具７０に取り付けて用いられる。照明器具７０は、たとえば天井７１に形成された開口７２に嵌め込まれる器具本体７３を有している。器具本体７３は、天井７１の下方に向けて開放した空間７４を区画している。この空間７４内にＬＥＤランプ１０２が保持される。器具本体７３の内面は、ＬＥＤランプ１０２からの光を下方に向けて反射する反射面として機能する。
【００７５】
ＬＥＤランプ１０２には、そのケースの側方部に、人感センサモジュール８０に電気的に接続されるコネクタ７５が設けられている。人感センサモジュール８０は、センサ本体８１と、センサ本体８１から延びたリード線８２と、リード線８２の端部に固定されたプラグ８３とを含む。プラグ８３は、コネクタ７５に結合可能に構成されており、リード線８２をコネクタ７５に電気的に接続する。
【００７６】
この構成により、センサ本体８１をＬＥＤランプ１０２のケースから離れた位置に配置でき、たとえば、図１４に示すように、器具本体７３が区画する空間７４の外に配置できる。埋め込み型の照明器具７０に、図１等に示したＬＥＤランプ１をそのまま適用すると、人感センサモジュール１１の感度領域２４が器具本体７３と干渉してしまい、実質的な感度領域が狭くなるおそれがある。図１４に示した人感センサモジュール８０を用いてセンサ本体８１をＬＥＤランプ１０２よりも下方に配置することにより、センサ本体８１の感度領域の全部を用いることができる。センサ本体８１の感度中心軸をＬＥＤランプ１０２の照明中心軸と非並行とすることにより、適切な感度領域を設定できる。たとえば、ＬＥＤランプ１０２の照明対象領域と整合する感度領域が得られるように感度中心軸の方向を設定してもよい。
【００７７】
なお、図１４においては、センサ本体８１を器具本体７３の外側に配置した例を示したが、器具本体７３内（空間７４内。たとえば器具本体７３の内壁面）に配置してもよい。また、コネクタ７５は、ＬＥＤランプ１０２の側方部に配置される必要はなく、下方部または上方部に配置されてもよい。ただし、下方部に配置すると、点灯時にコネクタ７５の部分が暗部となるので見映えが悪くなるおそれがあり、上方部に配置するとＬＥＤランプを照明器具７０に取り付けた状態では、プラグ８３の接続作業が困難になるおそれがある。
【００７８】
図１５は、この発明の第５の実施形態に係るＬＥＤランプを示す斜視図である。このＬＥＤランプ１０３は、電球型であり、電球用ソケット８５に結合可能な口金８６と、ケース８７とを有している。ケース８７は、円筒部８８と、口金８６と反対側に形成されたドーム部８９とを一体的に有しており、回転対称な形状を有している。ドーム部８９の中央付近には、半球状に突出した突出部９０が形成されており、この突出部９０内に人感センサ９１が収納されている。
【００７９】
人感センサ９１の感度中心軸９２は、ＬＥＤランプ１０３の中心軸である照明中心軸９５に対して傾斜している。そして、人感センサ９１は、感度中心軸９２を中心とする円錐形状の感度領域９３を有している。
たとえば、ＬＥＤランプ１０３は、部屋９６の天井９７の角部に配置された電球用ソケット８５に取り付けて用いられる。この場合に、照明中心軸９５は上下方向に沿うのに対して、感度中心軸９２は上下方向に対して傾斜し、たとえば、部屋９６の中央に向けられる。これにより、感度領域９３が部屋９６の中央に向かって広がるので、部屋９６に立ち入る人を検知しやすくなる。
【００８０】
なお、図１等に示した構成に倣って、ケース８７内に人感センサモジュールを着脱自在に取り付けることができるコネクタを設け、このコネクタに対して、人感センサ９１を内蔵した人感センサモジュールを任意に接続できるように構成してもよい。
図１６は、この発明の第６の実施形態に係るＬＥＤランプを示す斜視図である。このＬＥＤランプ１０４は、電球型であり、埋め込み型照明器具１２０に備えられた電球用ソケット１２１に取り付けられて用いられる。照明器具１２０は、たとえば天井１２２に形成された開口１２３に嵌め込まれる器具本体１２４を有している。器具本体１２４は、たとえば下方にフランジを有する円筒状に形成されており、天井１２２の下方に向けて開放した空間１２５を区画している。この空間１２５内にＬＥＤランプ１０４が保持される。器具本体１２４の内面は、ＬＥＤランプ１０４からの光を下方に向けて反射する反射面として機能する。
【００８１】
ＬＥＤランプ１０４は、電球用ソケット１２１に結合可能な口金１３０と、ケース１３１とを有している。ケース１３１は、円筒部１３２と、口金１３０と反対側に形成されたドーム部１３３とを一体的に有しており、回転対称な形状を有している。ケース１３１の側方部（図１６の例ではケース１３の側面の上端部）には、人感センサモジュール１４０に電気的に接続されるコネクタ１３５が設けられている。人感センサモジュール１４０は、センサ本体１４１と、センサ本体１４１から延びたリード線１４２と、リード線１４２の端部に固定されたプラグ１４３とを含む。プラグ１４３は、コネクタ１３５に結合可能に構成されており、リード線１４２をコネクタ１３５に電気的に接続する。
【００８２】
この構成により、センサ本体１４１をＬＥＤランプ１０４から離れた位置に配置でき、たとえば、図１６に示すように、器具本体１２４が区画する空間１２５の外に配置できる。埋め込み型の照明器具１２０に、図１５に示した形態のようなＬＥＤランプをそのまま適用すると、人感センサの感度領域が器具本体１２４と干渉してしまい、実質的な感度領域が狭くなるおそれがある。そこで、図１６に示した人感センサモジュール１４０を用いてセンサ本体１４１をＬＥＤランプ１０４よりも下方に配置することにより、センサ本体１４１の感度領域の全部を用いることができる。センサ本体１４１の感度中心軸をＬＥＤランプ１０４の照明中心軸と非平行とすることにより、適切な感度領域を設定できる。たとえば、ＬＥＤランプ１０４の照明対象領域と整合する感度領域が得られるように感度中心軸の方向を設定してもよい。
【００８３】
なお、図１６においては、センサ本体１４１を器具本体１２４の外側に配置した例を示したが、器具本体１２４内（たとえば空間１２５内。たとえば器具本体１２４の内壁面）に配置してもよい。また、コネクタ１３５は、ＬＥＤランプ１０４の側方部に配置される必要はなく、下方部または上面に配置されてもよい。ただし、下方部に配置すると、点灯時にコネクタ１３５の部分が暗部となるので見映えが悪くなるおそれがあり、上面に配置するとＬＥＤランプを照明器具１２０に取り付けた状態では、プラグ１４３の接続作業が困難になるおそれがある。
【００８４】
図１７は、この発明の第７の実施形態に係るＬＥＤランプ１０５の構成の一部を示す断面図である。この図１７において、前述の図２に示された各部に対応する部分は、同一参照符号で示す。このＬＥＤランプ１０５は、人感センサモジュール１５０をケース４に対して姿勢変更可能に取り付けるセンサ取り付け構造１５１が備えられている。センサ取り付け構造１５１は、キャップ５と、キャップ５に結合されるモジュール保持部材１５２と、人感センサモジュール１５０のモジュールケース１５３とを含む。人感センサモジュール１５０は、モジュールケース１５３と、モジュールケース１５３に収容されたセンサ本体１５４とを含む。モジュールケース１５３は、球状に形成されており、球面状の外表面１５５を有している。
【００８５】
モジュール保持部材１５２は、キャップ５に対して、ボルト１５８等の固定手段を用いて、内面側から固定されている。キャップ５およびモジュール保持部材１５２は、それぞれ部分球面１５６，１５７を有している。これらの部分球面１５６，１５７は、モジュールケース１５３の外表面１５５と等しい曲率の部分球面である。そして、モジュール保持部材１５２をキャップ５に結合したときに、部分球面１５６，１５７が連続し、それらは半球面よりも若干大きな部分球面を形成する。この部分球面が区画する空間にモジュールケース１５３が保持されている。したがって、モジュールケース１５３は、キャップ５およびモジュール保持部材１５２によって保持された状態で、その姿勢を変化させることができる。この姿勢変化に伴って、センサ本体１５４の感度中心軸１５９の方向が変化し、それに応じて感度領域が変化することになる。したがって、使用者は、ＬＥＤランプ１０５の取り付け位置や使用状況に応じて、適切な方向に感度中心軸１５９を向けることができる。すなわち、人感センサモジュール１５０の感度中心軸１５９は、ケース４の長手方向だけでなく、それに直交する方向も含めて、任意の方向に向けることができる。
【００８６】
図１８に示すように、球状のモジュールケース１５３を回転可能に保持する保持ケース１７５を含めて人感センサモジュール１７０を構成し、このような人感センサモジュール１７０をケース４またはキャップ５に取り付けるようにしてもよい。さらには、図１９に示すように、センサ本体１５４と電気的に接続された端子ピン１７２を保持ケース１７５に植設した人感センサモジュール１８０を構成することもできる。このような人感センサモジュール１８０は、図１等に示した人感センサモジュール１１に代えて用いることができる。これにより、図１等のＬＥＤランプ１において、人感センサの感度中心軸の方向を一層自由に設定できる。
【００８７】
図２０は、この発明の第８の実施形態に係るＬＥＤランプの構成を説明するための斜視図である。図２０において、図１５に示された各部に対応する部分は同一参照符号で示す。
このＬＥＤランプ１０６は、ケース１３１のドーム部１３３の頂部に対して人感センサモジュール１６０を回転可能に取り付けるセンサ取り付け構造１６５を有している。人感センサモジュール１６０は、モジュールケース１６１と、モジュールケース１６１内に収容されたセンサ本体１６２とを有している。人感センサモジュール１６０をセンサ取り付け構造１６５を介してケース１３１に取り付けた状態において、センサ本体１６２の感度中心軸１６３は、ＬＥＤランプ１０６の照明中心軸１６６に対して傾斜している。換言すれば、感度中心軸１６３がそのような方向に沿うように、センサ本体１６２がモジュールケース１６１に固定されている。センサ取り付け構造１６５は、照明中心軸１６６を中心に回転可能な状態で人感センサモジュール１６０をケース１３１に取り付ける。これにより、使用者は、ＬＥＤランプ１０６の取り付け位置や使用状況に応じて、適切な方向に感度中心軸１６３を向けて、適切な感度領域１６４を設定することができる。
【００８８】
なお、図１７の実施形態と同様に、モジュールケース１６１を球状に形成するとともに、センサ取り付け構造１６５によって、モジュールケース１６１を任意の方向に回転可能にケース１３１に取り付けてもよい。これにより、人感センサモジュール１６０の感度中心軸１６３を任意の方向に向けることができる。また、前述の図１８に示したような人感センサモジュール１７０をケース１３１に取り付けてもよい。さらには、ケース１３１内に人感センサモジュールを着脱自在に取り付けることができるコネクタを設け、このコネクタに対して、前述の図１９に示したような人感センサモジュール１８０を任意に接続するようにしてもよい。
【００８９】
図２１は、この発明の第９の実施形態に係るＬＥＤランプの電気的構成を説明するためのブロック図である。この図２１において、図７に示された各部に対応する部分は、同一参照符号で示す。また、この実施形態の説明においては、必要に応じて、図１−図６および図９を参照することとし、第１の実施形態との相違点を中心に説明する。
このＬＥＤランプ１０７は、人感センサモジュール１１への赤外線入射経路を開閉するシャッタユニット２００を備えている。マイクロコンピュータ５０は、シャッタユニット２００を駆動して人感センサモジュール１１への赤外線入射経路を開閉（たとえば周期的に遮断）したときの人感センサモジュール１１の出力信号に基づいて、ＬＥＤランプ１０７の近傍における静止した人の有無を判断するようにプログラムされている。また、この実施形態では、温度センサモジュール１３（図７等参照）は、設けられていない。
【００９０】
図２２は、人感センサモジュール１１とシャッタユニット２０との位置関係を説明するための図である。人感センサモジュール１１のセンサ本体２０は、焦電型赤外センサ２０１と、フレネルレンズ２０２とを含む。焦電型赤外センサ２０１は、感度中心軸２３に向けられた受光面２０３を有している。フレネルレンズ２０２は、受光面２０３を覆うドーム形状（半球形状）に形成されている。フレネルレンズ２０２は、焦電型赤外センサ２０１の検出視野にムラを与える。すなわち、フレネルレンズ２０２による集光作用のために、焦電型赤外センサ２０１は、斜線を付して示す検知可能領域２０５に位置する放射体（人体）から放射される赤外線のみが検知可能であり、検知可能領域２０５外の領域は、赤外線の放射を検知できない検知不能領域２０６である。人体等の赤外線放射体が検知可能領域２０５と検知不能領域２０６との間を跨いで移動すると、受光面２０３に温度変化が生じる。そのため、焦電効果（パイロ電子効果）による起電力が焦電型赤外センサ２０１に発生し、それに応じた信号が出力される。したがって、感度中心軸２３を中心とする感度領域２４内で人が移動すると、人感センサモジュール１１の出力信号が変化する。これにより、感度領域２４への人の立ち入り、および感度領域２４内での人の移動を検知できる。
【００９１】
感度領域２４内で人が静止しているときは、焦電型赤外センサ２０１の受光面２０３への赤外線入射状態が変化しないから、受光面２０３に温度変化が生じないので、焦電型赤外センサ２０１は焦電効果による起電力を生じない。
そこで、この実施形態では、静止した人体を検知するために、感度中心軸２３を中心とする受光面２０３の前方（この実施形態ではフレネルレンズ２０２の直前方）の領域にシャッタユニット２００が配置されている。より具体的には、受光面２０３と照明対象領域３７と受光面２０３との間の赤外線入射経路にシャッタユニット２００が配置されている。シャッタユニット２００は、液晶シャッタユニットであってもよい。この場合、液晶シャッタユニットを透光状態（赤外線を透過させる状態）とすることによって、焦電型赤外センサ２０１の受光面２０３に感度領域２４内の放射体からの赤外線が入射する。また、液晶シャッタユニットを遮光状態（赤外線を遮断する状態）とすることによって、焦電型赤外センサ２０１の受光面２０３には赤外線が入射しなくなる。また、シャッタユニット２００は、赤外線入射経路を機械的に遮断するユニットであってもよい。機械的なシャッタユニットとしては、シャッタ板を電動モータによって回転させる構成を例示できる。シャッタ板には、たとえば、透光部（赤外線を透過させる部分）と遮光部（赤外線を遮断する部分）とが回転方向に関して交互に形成されている。電動モータは、感度中心軸２３からずれた位置において感度中心軸２３と平行に設定した回転軸線まわりにシャッタ板を回転させる。したがって、シャッタ板の回転によって、透光部と遮光部とが焦電型赤外センサ２０１の受光面２０３の前方に交互に位置する。よって、シャッタ板の回転位置を制御することにより、感度領域２４内の放射体からの赤外線が受光面２０３に入射する状態と、当該赤外線が受光面２０３に入射しない状態とを切り換えることができる。以下、感度領域２４内の放射体からの赤外線を受光面２０３へと透過させるシャッタユニット２００の状態を「開状態」などといい、当該赤外線の受光面２０３への入射経路を遮るシャッタユニット２００の状態を「閉状態」などという。
【００９２】
図２３は、焦電型赤外センサ２０１およびシャッタユニット２００によって静止した人体を検知する原理を説明するための図である。図２３(a)に示すように、マイクロコンピュータ５０は、シャッタユニット２００を開閉させ、焦電型赤外センサ２０１の受光面２０３への赤外線入射経路をたとえば周期的に遮断する。開閉の周期は、数ミリ秒程度であってもよい。感度領域２４内に放射体としての人が存在しているとき、シャッタユニット２００が閉状態から開状態に切り換わると、焦電型赤外センサ２０１の受光面２０３において温度変化が生じ、焦電効果による起電力が生じる。また、シャッタユニット２００が開状態から閉状態に切り換わるときも、焦電型赤外センサ２０１の受光面２０３において温度変化が生じ、焦電効果による起電力が生じる。よって、図２３(b)に示すように、焦電型赤外センサ２０１は、交流信号を出力する。これに対して、感度領域２４内に放射体としての人が存在していないときは、シャッタユニット２００を開閉しても、焦電型赤外センサ２０１の受光面２０３に対する赤外線入射状態は変化しない。そのため、焦電型赤外センサ２０１の出力信号は、図２３(c)に示すように、実質的な変化のない状態となる。このようにして、シャッタユニット２００を開閉駆動することによって、焦電型赤外センサ２０１（人感センサモジュール１１）を用いて、静止した人の有無を検知できる。
【００９３】
図２４は、マイクロコンピュータ５０の制御内容の一例を示すフローチャートであり、所定の制御周期毎に繰り返される処理が示されている。図２４において、図８に示した各ステップと同様の処理ステップは、同一参照符号で示す。
この実施形態では、感度領域２４内での人の動きが検出されて（ステップＳ７：ＹＥＳ）、ＬＥＤ光源部２が全点灯されると（ステップＳ８）、マイクロコンピュータ５０は、シャッタユニット２００の開閉駆動を開始する（ステップＳ７１）。それ以前の期間には、マイクロコンピュータ５０は、シャッタユニット２００を開状態に制御している。
【００９４】
マイクロコンピュータ５０は、シャッタユニット２００を開閉駆動している状態で（ステップＳ７１）、人感センサモジュール１１（焦電型赤外センサ２０１）の出力信号を監視し、その出力信号に基づいて、ＬＥＤランプ１０７の近くに静止状態の人が存在しているか否かを判断する（ステップＳ７２）。すなわち、図２３(b)に示すような交流波形が検出されれば、マイクロコンピュータ５０は、ＬＥＤランプ１０７の近くに人が存在していると判断する。一方、図２３(c)に示すように、人感センサモジュール１１の出力信号に有意な変化がなければ、マイクロコンピュータ５０は、ＬＥＤランプ１０７の近くに人が存在していないと判断する。
【００９５】
静止状態の人が検知されると（ステップＳ７２：ＹＥＳ）、マイクロコンピュータ５０は、ＬＥＤ光源部２を全点灯状態に保持し（ステップＳ８）、シャッタユニット２００の駆動を継続する（ステップＳ７１）。静止状態の人が検知されなければ（ステップＳ７２：ＮＯ）、マイクロコンピュータ５０は、シャッタユニット２００の開閉駆動を停止して開状態に制御する（ステップＳ７３）。さらに、マイクロコンピュータ５０は、内部のタイマをリセットさせ、その計時動作を開始させる（ステップＳ１１）。この後の制御動作は、前述の第１の実施形態の場合と同様である。
【００９６】
このように、この実施形態によれば、第１の実施形態において備えられているような温度センサモジュール１３を備えることなく、静止状態の人の有無を検知できる。これにより、より簡単で安価な構成で、人の動きのみならず静止状態の人の有無を検知して、点灯状態を適切に制御できるＬＥＤランプ１０７を提供できる。サーモパイル等の温度センサは高価であるので、このような高価な温度センサを備えないことによって、顕著なコスト削減効果が達成される。
【００９７】
図２５は、この発明の第１０の実施形態に係るＬＥＤランプ１０８の電気的構成を説明するためのブロック図である。図２５において、図２１に示された各部に対応する部分は、同一参照符号で示す。また、以下では、第９の実施形態との相違点を中心に説明する。
この実施形態では、人感センサモジュール１１とは別に、焦電型赤外センサ２１０が設けられている。シャッタユニット２００は、焦電型赤外センサ２１０の受光面に対する赤外線入射経路を開閉するように配置されている。焦電型赤外センサ２１０は、たとえば、人感センサモジュール１１の感度領域２４と同様の感度領域を有するように構成されてもよいし、感度領域２４の中央付近のより狭い領域を感度領域とするように構成されていてもよい。また、焦電型赤外センサ２１０は、その受光面と感度領域との間にフレネルレンズを有している必要はない。シャッタユニット２００は、焦電型赤外センサ２１０の受光面とその感度領域との間の赤外線入射経路に配置されている。より具体的には、シャッタユニット２００は、焦電型赤外センサ２１０の受光面の直前方に配置されればよい。
【００９８】
マイクロコンピュータ５０は、人感センサモジュール１１の出力信号に基づいて、感度領域２４への人の立ち入りおよび感度領域２４内での人の動きを検出する。一方、マイクロコンピュータ５０は、シャッタユニット２００を駆動して焦電型赤外センサ２１０の受光面への赤外線入射経路を開閉（たとえば周期的に遮断）し、そのときの焦電型赤外センサ２１０の出力信号に基づいて、ＬＥＤランプ１０８の近傍に静止した人が存在しているか否かを判断する。この判断の詳細は、第９の実施形態に関連して図２３および図２４を参照して説明した判断と同様である。むろん、図２４のフローチャートの処理において、ステップＳ７２での判断は、焦電型赤外センサ２１０の出力信号に基づいて行われることになる。なお、この実施形態では、マイクロコンピュータ５０は、シャッタユニット２００を常時開閉駆動していてもよいし、感度領域２４への人の立ち入りまたは感度領域２４内での人の動きが検知されたときにだけ、シャッタユニット２００を開閉駆動してもよい（ステップＳ７１）。
【００９９】
このように、この実施形態では、人感センサモジュール１１とは別に焦電型赤外センサ２１０を設けているけれども、焦電型赤外センサ２１０はサーモパイル等の温度センサに比較すると格段に安価であるので、第１の実施形態の場合よりもＬＥＤランプ１０８の生産コストを安くできる。しかも、人感センサモジュール１１の感度領域２４とは独立に焦電型赤外センサ２１０の感度領域を設定することも可能であるから、静止した人の存在をより適切に検知することができる。
【０１００】
以上、この発明の実施形態について説明してきたが、この発明は、さらに他の形態で実施することもできる。たとえば、図１等には、人感センサモジュールが着脱可能な構成を示したが、人感センサがＬＥＤランプに固定的に取り付けられていてもよい。また、図１等には、直管型のＬＥＤランプの両端部に人感センサモジュールを配置可能な構成を示したが、一端部にのみ人感センサモジュールのためのコネクタが設けられていてもよい。さらに、図１等には、人感センサモジュールの感度中心軸がＬＥＤランプの照明対象領域の中央に向けられた例を示したが、感度中心軸とＬＥＤランプの照明中心軸とが平行とされていてもよい。
【０１０１】
さらに、前述の第１および第３の実施形態では、人感センサ、照度センサおよび温度センサが備えられた例を示したが、温度センサおよびそれに関連する構成および処理を省いてもよいし、人感センサおよびそれに関連する構成および処理を省いてもよい。第２の実施形態においても同様であり、人感センサおよびそれに関連する処理を省いてもよいし、第１の実施形態に倣って温度センサおよびそれに関連する構成を追加してもよい。
【０１０２】
また、前述の実施形態では、人感センサによって人の動きが検知されると、ＬＥＤ光源部が全点灯状態とされる例を示したが、１００％未満の駆動電力（ただし待機点灯状態よりも大電力）での点灯状態とされてもよく、たとえば、周囲照度に応じた点灯状態としてもよい。
さらに、前述の図２２には、フレネルレンズ２０２の前方（焦電型赤外センサ２０１の受光面２０３とは反対側）にシャッタユニット２００を配置した構成を示したが、シャッタユニット２００は、フレネルレンズ２０２と受光面２０３との間に配置されてもよい。
【０１０３】
また、前述の第９の実施形態および第１０の実施形態に示した構成は、第２〜第８の実施形態に対しても適用可能である。
［２］第２構成例
図２６および図２８は、本発明に係るＬＥＤランプの一例を示している。本実施形態のＬＥＤランプ１１０１は、基板１２００、カバー１２１０、放熱部材１３００、複数のＬＥＤモジュール１４００、コネクタ１５００、電源部１６００、制御部１７００、記憶部１７１０、ＬＥＤドライバ１７２０、電波検知部１７５０、人感センサ１７６０、および照度センサ１７７０を備えている。ＬＥＤランプ１１０１は、いわゆる直管形の蛍光灯ランプに類似した形状とされており、直管形蛍光灯ランプが装填される照明器具に取り付け可能とされている。なお、一般的な直管形蛍光灯ランプ用の照明器具に取り付け可能な構成のほか、専用の照明器具に取り付けられる構成であってもよい。
【０１０４】
基板１２００は、たとえばガラスエポキシ樹脂あるいはセラミックスからなる絶縁基板であり、細長矩形状とされている。放熱部材１３００は、基板１２００の裏面に取り付けられており、たとえばアルミからなる。カバー１２１０は、半透明の乳白色樹脂からなり、基板１２００を収容する円筒形状とされている。コネクタ１５００は、ＬＥＤランプ１１０１を後述する照明器具１１１０に取り付けるために用いられる部位であり、たとえば複数の金属製の棒状端子を具備している。
【０１０５】
複数のＬＥＤモジュール１４００は、基板１２００の長手方向に沿って基板１２００の表面に配列されている。図２８に示すように、本実施形態においては、互いに直列に接続されたいくつかのＬＥＤモジュール１４００どうしが、たがいに並列に接続されている。図２７は、ＬＥＤモジュール１４００の断面図である。本図に示すようにＬＥＤモジュール１４００は、ＬＥＤチップ１４１０、１対のリード１４２０、封止樹脂１４４０、およびリフレクタ１４３０を備えている。１対のリード１４２０は、たとえばＣｕ合金からなり、その一方にＬＥＤチップ１４１０が搭載されている。ＬＥＤチップ１４１０は、ＬＥＤモジュール１４００の光源であり、たとえば青色光を発光可能とされている。封止樹脂１４４０は、ＬＥＤチップ１４１０を保護するためのものである。封止樹脂１４４０は、ＬＥＤチップ１４１０からの光によって励起されることにより黄色光を発する蛍光物質を含む透光樹脂を用いて形成されている。これにより、ＬＥＤモジュール１４００は、白色を照射することができる。上記蛍光物質としては、黄色光を発するものに代えて、赤色光を発するものと緑色光を発するものとを混合して用いてもよい。リフレクタ１４３０はたとえば白色樹脂からなり、ＬＥＤチップ１４１０から側方に発された光を上方に反射するためのものである。
【０１０６】
制御部１７００は、たとえばＣＰＵ、ＥＰＲＯＭ、ＲＡＭ、入出力インターフェースを具備しており、ＬＥＤランプ１１０１の動作全般を制御するためのものである。制御部１７００には、後述するＬＥＤランプ１１０１の発光制御を実現するためのプログラムが格納されている。本実施形態においては、制御部１７００は、タイマー回路１７０１を有している。タイマー回路１７０１は、複数のＬＥＤモジュール１４００（ＬＥＤチップ１４１０）の点灯時間を制御するための計時を行う回路である。ＬＥＤドライバ１７２０は、制御部１７００からの指令に基づいて複数のＬＥＤチップ１４１０の発光状態をたとえばＰＷＭ制御によって駆動制御するドライバＩＣである。
【０１０７】
人感センサ１７６０は、たとえば人体から発せられる赤外線を受けることにより起電力を生じるサーモパイルなどを具備している。人感センサ１７６０からの検知信号は、制御部１７００へと出力される。このような構成の人感センサ１７６０は、その原理上、検知範囲に人が進入したことは、起電力の発生により検知可能であるが、検知範囲に人が居続けていることは、検知することができない。
【０１０８】
照度センサ１７７０は、ＬＥＤランプ１１０１が置かれた環境の照度を計測するセンサであり、たとえばフォトダイオードを内蔵している。照度センサ１７７０は、照度に応じた検知信号を制御部１７００へと出力する。記憶部１７１０は、たとえばＲＡＭであり、照度センサ１７７０の検知信号に基づく照度を記憶するためのものである。
電波検知部１７５０は、携帯型電話機からの電波を受信することにより、その電波強度に応じた検知信号を制御部１７００へと出力する。電波検知部１７５０は、たとえば電波を受信するためのアンテナ、電波を信号に変換する変換部、および変換された信号を増幅するアンプ部を具備している。
【０１０９】
次いで、図２９〜図３６を参照しつつ、以下にＬＥＤランプ１１０１の動作を説明する。
図３１に示すように、ＬＥＤランプ１１０１は、たとえば天井１８５０に設置された照明器具１１１０に取り付けられた状態で使用される。使用者１８００は、床１８６０上を歩行しながら照明器具１１１０の直下付近を往来する。人感センサ１７６０は、検知範囲１７６１に歩行者１８００が進入すると、検知信号を出力する。
【０１１０】
図２９に示すように、照明器具１１１０の操作部（図示略）によって電源が投入される（ステップＳ１００）。この操作部は、たとえば壁面などに設置されたもの、あるいはリモコンスイッチでもよい。次いで、通常点灯モードか否かが判断される（ステップＳ１１０）。通常点灯モードの選択は、照明器具１１１０の上記操作部またはＬＥＤランプ１１０１に対するリモコンスイッチからの指令であってもよい。通常点灯モードが選択されている場合、ステップＳ１１１以降の処理を行い、通常点灯モードが選択されていない場合、ステップＳ１２０以降の処理を行う。
＜通常点灯モード＞
通常点灯モードが選択されていた場合、制御部１７００は、人感センサ１７６０からの検知信号の有無を判断する（ステップＳ１１１）。人感センサ１７６０からの検知信号が無い場合、ステップＳ１１１を繰り返す。一方、図３２に示すように、使用者１８００が検知範囲１７６１に進入すると、人感センサ１７６０は、制御部１７００に検知信号を出力する。制御部１７００は、この検知信号の入力により、使用者１８００が検知範囲１７６１に進入したと判断する。そして、図２９に示すように、タイマー回路１７０１によってタイマーをスタートし（ステップＳ１１２）、複数のＬＥＤモジュール１４００（ＬＥＤチップ１４１０）を全点灯させる（ステップＳ１１３）。
【０１１１】
タイマー回路１７０１によるタイマーは、複数のＬＥＤモジュール１４００（ＬＥＤチップ１４１０）が全点灯の間、運針されている。ただし、検知範囲１７６１からいったん離れた使用者１８００が再び検知範囲１７６１に進入した場合、人感センサ１７６０からの検知信号が制御部１７００へと出力される。制御部１７００は、この検知信号が入力されると（ステップＳ１１４−Ｙｅｓ）、タイマー回路１７０１によりタイマーをリセットする（ステップＳ１１６）。
【０１１２】
また、ステップＳ１１４において人感センサ１７６０が検知していない場合は、電波検知部１７５０による電波検知状態によって複数のＬＥＤモジュール１４００（ＬＥＤチップ１４１０）の点灯制御を行う。図３３および図３４に示すように、使用者１８００は、携帯型電話機１８１０を携帯している。携帯型電話機１８１０は、本発明でいう電波発信手段に相当する。携帯型電話機１８１０は、たとえば位置情報電波や着信完了情報電波を、間欠的に発信している。電波検知部１７５０は、受信した電波の強度に応じた検知信号を制御部１７００に送信する。制御部１７００は、あらかじめ定められた基準電波強度Ｒｗｓを記憶している。基準電波強度Ｒｗｓは、ＬＥＤランプ１１０１の直下付近など所定範囲内に置かれた一般的な携帯型電話機１８１０から発せられる電波を電波検知部１７５０が受信したときに相当する電波強度に設定される。制御部１７００は、電波検知部１７５０からの検知信号に基づくそのときどきの電波強度Ｒｗと基準電波強度Ｒｗｓとを比較する（ステップＳ１１５）。そして、電波強度Ｒｗが基準電波強度Ｒｗｓよりも大きい場合、ステップＳ１１６においてタイマーをリセットする。
【０１１３】
ステップＳ１１４における人感センサ１７６０による検知、およびステップＳ１１５における電波検知部１７５０による検知のいずれもが無い場合、タイマーの運針が進められる。タイマーが所定の時間（たとえば９０ｓ）に達するまでは、複数のＬＥＤモジュール１４００（ＬＥＤチップ１４１０）を全点灯させた状態で、ステップＳ１１４，Ｓ１１５を繰り返す（ステップＳ１１７）。そして、タイマーが所定の時間に達すると（ステップＳ１１７−Ｙｅｓ）、複数のＬＥＤモジュール１４００（ＬＥＤチップ１４１０）を全消灯する（ステップＳ１１８）。以上の処理により、通常点灯モードが終了する。
＜常夜点灯モード＞
ステップＳ１１０において通常点灯モードが選択されていない場合、ステップＳ１２０において常夜点灯モードが選択されているかを判断する。常夜点灯モードの選択は、照明器具１１１０の上記操作部またはＬＥＤランプ１１０１に対するリモコンスイッチからの指令であってもよい。常夜点灯モードが選択されていない場合、ステップＳ１１０に戻る。常夜点灯モードが選択されている場合、ステップＳ１２１の常夜点灯処理を行う。
【０１１４】
図３０は、常夜点灯処理（ステップＳ１２１）の内容を示している。まず、初回設定モードが選択されている場合（ステップＳ２１１−Ｙｅｓ）、ステップＳ２１３において照度記憶処理を行う。また、ステップＳ２１１において初回設定モードが選択されていない場合に、リセット操作が選択されていると（ステップＳ２１２−Ｙｅｓ）、ステップＳ２１３の照度記憶処理を行う。
【０１１５】
照度記憶処理においては、照度センサ１７７０からの検知信号に基づく照度を、記憶部１７１０に記憶させる。このとき、図３５に示すように、屋外が夜間であるなど窓１８７０から外光がほとんど入ってこない状態において、複数のＬＥＤモジュール１４００（ＬＥＤチップ１４１０）を常夜点灯状態としておく。常夜点灯状態とは、複数のＬＥＤモジュール１４００（ＬＥＤチップ１４１０）の全点灯状態よりも、意図的に輝度を低下させた状態をいい、たとえば夜間に使用者１８００が歩く程度の照度は確保されているが、周囲に迷惑となるほどの明るさには至らない状態を指す。
【０１１６】
図３０に示すように、ステップＳ２１３の照度記憶が完了した後、またはステップＳ２１２においてリセット操作が選択されていない場合、ステップＳ２１４に進む。ステップＳ２１４においては、基準照度Ｉｍｓと照度Ｉｍとの比較を行う。基準照度Ｉｍｓは、記憶部１７１０に記憶された照度に一定の照度を加えた照度である。照度Ｉｍは、そのときどきの照度センサ１７７０からの検知信号に基づく照度である。たとえば、図３５に示す状態のように、屋外が夜間で、窓１８７０から外光がほとんど入ってこない場合、照度Ｉｍが基準照度Ｉｍｓよりも小さい。この場合、制御部１７００は、複数のＬＥＤモジュール１４００（ＬＥＤチップ１４１０）を常夜点灯状態とする（Ｓ２１５）。一方、図３６に示すように、屋外が明け方などで、窓１８７０から外光が多く入ってくる場合、照度Ｉｍが基準照度Ｉｍｓよりも大きくなる。この場合、制御部１７００は、常夜点灯状態とはせず、ステップＳ２１７に進む。ステップＳ２１６において消灯設定がなされていれば、ステップＳ２１７において複数のＬＥＤモジュール１４００（ＬＥＤチップ１４１０）を全消灯させる。ステップＳ２１６において消灯設定がなされていない場合は、ステップＳ１１０に戻る。以上が、常夜点灯処理Ｓ１２１の内容である。
【０１１７】
次に、ＬＥＤランプ１１０１の作用について説明する。
本実施形態によれば、図３３に示すように、使用者１８００がＬＥＤランプ１１０１の近辺にとどまっていると、使用者１８００が携帯する携帯型電話機１８１０からの電波を電波検知部１７５０が検知することにより、使用者１８００の存在を認識することができる。したがって、ＬＥＤランプ１１０１の近辺に使用者１８００がとどまっている場合に、使用者１８００の意図に反してＬＥＤランプ１１０１を消灯してしまうことを回避することができる。
【０１１８】
図３４に示すように、使用者１８００が人感センサ１７６０の検知範囲１７６１から退避している場合であっても、電波検知部１７５０の検知による電波強度Ｒｗが基準電波強度Ｒｗｓよりも強ければ、ＬＥＤランプ１１０１の点灯が継続される。これにより、使用者１８００が検知範囲１７６１から退避しているものの、ＬＥＤランプ１１０１による光が求められる場合に、ＬＥＤランプ１１０１の点灯状態を適切に継続することができる。
【０１１９】
人感センサ１７６０の検知信号によって（ステップＳ１１４）タイマーをリセットすることにより（ステップＳ１１６）、使用者１８００がいったん検知範囲１７６１から退避した後に再び検知範囲１７６１に進入した場合や、使用者１８００以外の他の使用者が検知範囲１７６１にさらに進入した場合に、ＬＥＤランプ１１０１の点灯状態を適切に継続することができる。
【０１２０】
常夜点灯モードを備えることにより、夜間などのように全点灯ほどの明るさが必要とされない場合に、使用者１８００が歩行できる程度に、あるいは防犯効果が期待できる程度に、屋内を照らしておくことができる。基準照度Ｉｍｓと照度Ｉｍとの比較によって常夜点灯させることにより、屋外からの外光によって屋内がある程度照らされているときに、不必要にＬＥＤランプ１１０１を常夜点灯状態とすることを回避することができる。
【０１２１】
フォトダイオードなどによって構成される照度センサ１７７０のサンプリング周期は、ＰＷＭ制御によって点灯制御されるＬＥＤチップ１４１０の点滅周期よりも一般的に顕著に短い。このため、照度センサ１７７０による光量測定のタイミングをＬＥＤチップ１４１０が点灯（全点灯）しているタイミングに同期させると、ＬＥＤチップ１４１０の全点灯状態における照度を測定することができる。たとえば、ＬＥＤランプ１１０１の使用開始時点でのＬＥＤチップ１４１０の全点灯光量を記憶部１７１０に記憶させておき、この初期照度と使用中の照度とを比較することにより、ＬＥＤチップ１４１０の光量変化をモニタリングすることができる。これは、ＬＥＤチップ１４１０の光量が、初期の光量のたとえば３０％以下となった場合に、ＬＥＤチップ１４１０が寿命を迎えたとＬＥＤランプ１１０１の制御部１７００が自己判断することに利用できる。
【０１２２】
図３７は、ＬＥＤランプ１１０１の変形例の通常点灯モードの点灯制御のフローチャートである。本変形例においては、ステップＳ１１４において人感センサ１７６０が検知した場合と、電波強度Ｒｗが基準電波強度Ｒｗｓよりも大きい場合とで、タイマー回路１７０１によるタイマー処理が異なっている。まず、ステップＳ１１４において人感センサ１７６０が検知した場合、ステップＳ１１６Ａにおいてタイマー回路１７０１はタイマー時間を０に戻すタイマーリセットを行い、ステップＳ１１２においてタイマーが再スタートされる。
【０１２３】
一方、ステップＳ１１４において人感センサ１７６０の検知はなかったものの、ステップＳ１１５において電波強度Ｒｗが基準電波強度Ｒｗｓよりも大きい場合、ステップＳ１１６Ｂが実行される。ステップＳ１１６Ｂにおいては、タイマー回路１７０１は、タイマーの運針を一定時間だけ戻す処理を行う。この一定時間は、ステップＳ１１７におけるタイマ時間経過の判断に用いられる所定時間（たとえば９０ｓ）よりも短い時間である。この一定時間の一例としては、たとえば携帯型電話機１８１０が位置確認や受信確認などを目的として定期的に発する電波の１周期分に相当する時間が挙げられる。ステップＳ１１６Ｂにおいてタイマーの運針を一定時間だけ戻した後は、ステップＳ１１２に進む。ステップＳ１１２においては、一定時間戻されたタイマー時間について再び運針を開始する。
【０１２４】
人感センサ１７６０が検知したときは、使用者１８００が検知範囲１７６１に進入した時点であり、使用者１８００は即座に検知範囲１７６１から退避する可能性は少ない。このため、ステップＳ１１６Ａによってタイマーをリセットすることにより、十分長い時間（たとえば所定時間としての９０ｓ）ＬＥＤランプ１１０１を点灯させておくことが好ましい。一方、人感センサ１７６０が検知しないもののステップＳ１１５において電波強度Ｒｗが基準電波強度Ｒｗｓよりも大きい場合、すでに検知範囲１７６１に進入していた使用者１８００がＬＥＤランプ１１０１の近辺にとどまっている可能性が高い。この場合、使用者１８００がＬＥＤランプ１１０１の近辺から比較的短時間で退避する可能性がある。このため、ステップＳ１１６Ｂにおいて、タイマー時間を０にリセットせずに、一定時間だけ戻すことにより、この後に使用者１８００がＬＥＤランプ１１０１の近辺から退避してしまったにもかかわらず、ＬＥＤランプ１１０１が不当に点灯し続けてしまうことを防止することができる。
【０１２５】
本発明に係るＬＥＤランプは、上述した実施形態に限定されるものではない。本発明に係るＬＥＤランプの各部の具体的な構成は、種々に設計変更自在である。
ＬＥＤランプ１１０１は、いわゆる直管型蛍光灯に類似した外観のものに限定されず、たとえば電球型のものであってもよい。本発明でいう電波発信手段としては、携帯型電話機が代表的なものであるが、これに限定されず、たとえば携帯型のＷｉ−Ｆｉルータであってもよい。
［３］第３構成例
図３９〜図４５は、第３構成例の第１実施形態に基づく人感センサ付ＬＥＤランプを示している。図３９に示すように、人感センサ付ＬＥＤランプＡ１は、直管型の蛍光灯の代替として天井Ｗ１に固定され、室内を照明するのに使用される。以下において、人感センサ付ＬＥＤランプＡ１の長手方向をｘ方向とし、このｘ方向と直交する方向をｙ，ｚ方向とする。ｚ方向は、天井Ｗ１から床面に向かう方向と合致する。図３９に示す例では、商用電源に接続された電源装置Ｐ１と、電源装置Ｐ１に接続されたソケットＳ１と、ｘ方向においてソケットＳ１から離間するソケットＳ２とが、天井Ｗ１に設けられている。人感センサ付ＬＥＤランプＡ１は、ｘ方向における一方の端部がソケットＳ１に嵌め込まれ、他方の端部がソケットＳ２に嵌め込まれることにより、天井Ｗ１に固定されている。
【０１２６】
図３９〜図４１に示すように、人感センサ付ＬＥＤランプＡ１は、直管型の蛍光灯と似たような外観となるように、ｘ方向に長く延びる円筒状に形成された拡散カバー２００１と、ｘ方向に沿って配列された複数のＬＥＤモジュール２００２とを備えている。図４１に示すように、拡散カバー２００１は、複数のＬＥＤモジュール２００２を覆っている。さらに、図３９に示すように、人感センサ付ＬＥＤランプＡ１は、複数のＬＥＤモジュール２００２を支持する支持部材２００３と、電気回路部品２００４と、人感センサ２００５と、エンドキャップ２０６１，２０６２と、口金２０７１，２０７２とを備えている。図３９に示すように、エンドキャップ２０６１および口金２０７１は、ｘ方向における一方側に位置し、エンドキャップ２０６２および口金２０７２はｘ方向における他方側に位置している。
【０１２７】
拡散カバー２００１は、たとえば、塩化水銀などの拡散材を添加された透明なポリカーボネート樹脂により形成されている。このような拡散カバー２００１は、ＬＥＤモジュール２００２からの光を拡散しつつ透過する。図４０に示すように、拡散カバー２００１のｘ方向における一方の端部には、ｚ方向視矩形状の開口部２０１１が形成されている。また、図４１に示すように拡散カバー２００１のｘ方向における他方の端部には、ｚ方向視矩形状の開口部２０１２が形成されている。
【０１２８】
各ＬＥＤモジュール２００２は、ＬＥＤチップを内蔵しており、主にｚ方向の一方側に向けて光を出射するように構成されている。
図４２に示すように、支持部材２００３はｘ方向に沿って長く延びており、基板２０３０、第１のコネクタ２０３１、第２のコネクタ２０３２、および、放熱板２０３３を備えている。基板２０３０は、ｚ方向視長矩形状に形成されている。図４１に示すように、基板２０３０のｚ方向における一方側の面はＬＥＤモジュール２００２が設置される設置面であり、反対側の面は放熱板２０３３に接している。設置面はｚ方向に対して垂直であり、ｘ方向を含む面となる。ＬＥＤモジュール２００２が点灯時に発する熱は基板２０３０を介して速やかに放熱板２０３３に伝達される。
【０１２９】
図４２に示すように、第１のコネクタ２０３１は基板２０３０のｘ方向における一方の端部に設置されており、第２のコネクタ２０３２は基板２０３０のｘ方向における他方の端部に設置されている。このような配置によれば、第２のコネクタ２０３２は、第１のコネクタ２０３１から離間している。図４０に示すように、第１のコネクタ２０３１は、開口部２０１１から拡散カバー２００１の外側に露出させられている。また、図４０に示す例では、第１のコネクタ２０３１には、複数のｚ方向視矩形状の端子係合部２３１１が形成されている。図４１に示すように、第２のコネクタ２０３２は、開口部２０１２から拡散カバー２００１の外側に露出させられている。また、図４１に示す例では、第２のコネクタ２０３２には、複数のｚ方向視矩形状の端子係合部２３２１が形成されている。端子係合部２３１１および端子係合部２３２１は同数形成されており、ｚ方向視形状も同一である。
【０１３０】
電気回路部品２００４は、図４２に示すように、支持部材２００３のｘ方向における一方の端部に隣接するように設置されている。図４０に示すように、電気回路部品２００４は、口金２０７１内に収容される。電気回路部品２００４は、ソケットＳ１を介して電源装置Ｐ１に接続される。電気回路部品２００４は、電源装置Ｐ１から供給される交流電流を直流電流に整流するトランス回路と、複数のＬＥＤモジュール２００２に接続された制御回路とを内蔵している。この制御回路は整流回路によって得られる直流電流を複数のＬＥＤモジュール２００２に定電流として流すための制御を行う。さらに、この制御回路は、第１のコネクタ２０３１および第２のコネクタ２０３２に接続されている。
【０１３１】
基板２０３０上には、図示しない配線パターンが設けられている。この図示しない配線パターンは、電気回路部品２００４と図示しない配線によって電気的に接続されている。これらの配線および配線パターンを介して、前述した制御回路と複数のＬＥＤモジュール２００２との接続は行われている。また、制御回路と第１のコネクタ２０３１および第２のコネクタ２０３２との接続も同様に上記の図示しない配線および配線パターンを介して行われている。
【０１３２】
人感センサ２００５は、図４３および図４４に示すように、球状部材２０５１と、この球状部材２０５１を回動可能に保持する保持部２０５２と、センサ部２０５３とを備えている。球状部材２０５１は、内部が空洞になった本体部２５１１と、本体部２５１１のｚ方向における図４４中上端部に連結された集光部２５１２とを備えている。センサ部２０５３は、たとえば、熱起電力効果を利用したサーモパイルや焦電効果を利用した焦電体であり、赤外線を受光して信号を出力するように構成されている。図４４に示すように、センサ部２０５３は、本体部２５１１の内部に設けられている。集光部２５１２は、赤外線をセンサ部２０５３に集めるためのレンズとして機能する。保持部２０５２には、球状部材２０５１が嵌合する凹部２５２１が形成されている。図４４に示すように、凹部２５２１はｚ方向における図中上方に開口するように形成されている。球状部材２０５１が凹部２５２１から脱落しないように、凹部２５２１の開口は、ｚ方向視において、球状部材２０５１の直径よりも短い直径を有する円形に形成されている。さらに、保持部２０５２は、ｚ方向における図４４中下方に突き出す複数の端子部２５２２を備えている。図４５に示すように、各端子部２５２２はｚ方向視略矩形状であり、第１のコネクタ２０３１および第２のコネクタ２０３２の端子係合部２３１１，２３２１の双方に連結可能となっている。
【０１３３】
この人感センサ２００５は、第１のコネクタ２０３１または第２のコネクタ２０３２を介して電気回路部品２００４内の制御回路に接続される。制御回路は、センサ部２０５３が出力する信号を受けて複数のＬＥＤモジュール２００２への電流を制御する。具体的には、センサ部２０５３は所定の強さの赤外線を受光するときに、制御回路へ比較的強い電気信号を出力する。この比較的強い電気信号を受信するとき、制御回路はＬＥＤモジュール２００２へ電流を流す制御を行う。逆に、センサ部２０５３が受光する赤外線が所定の強さを下回るときには、制御回路へ比較的弱い電気信号を出力する。この比較的弱い電気信号を受信するとき、制御回路はＬＥＤモジュール２００２へ電流を流さない制御を行う。
【０１３４】
人感センサ２００５は、集光部２５１２の集光機能に応じた検出範囲を有することになる。たとえば、図４４に示すように、集光部２５１２が中心軸Ｌｎを中心とする範囲Ｃｎ内の赤外線をセンサ部２０５３に集める場合、範囲Ｃｎが人感センサ２００５の検出範囲となる。また、集光部２５１２が中心軸Ｌｎの向く方向を人感センサ２００５の主検出方向とする。
【０１３５】
人感センサ２００５では、球状部材２０５１を凹部２５２１内で回動させることにより、前述の主検出方向を変更することができる。このとき、検出範囲は主検出方向を中心とする範囲であるため、検出範囲も変わることになる。
エンドキャップ２０６１は、拡散カバー２００１のｘ方向における一方の端部に取り付けられている。口金２０７１はｘ方向に突き出すようにエンドキャップ２０６１に取り付けられる。口金２０７１はソケットＳ１に嵌合する。
【０１３６】
エンドキャップ２０６２は、拡散カバー２００１のｘ方向における一方の端部に取り付けられている。口金２０７２はｘ方向に突き出すようにエンドキャップ２０６２に取り付けられる。口金２０７２はソケットＳ２に嵌合する。
次に、人感センサ付ＬＥＤランプＡ１の作用について、さらに図４６〜図５３を参照にしつつ説明を行う。
【０１３７】
上述した人感センサ付ＬＥＤランプＡ１は、人感センサ２００５を第１のコネクタ２０３１に連結して使用する第１の使用状態と、人感センサ２００５を第２のコネクタ２０３２に連結して使用する第２の使用状態と、をとることができる。第１の使用状態においては、人感センサ２００５は、第１のコネクタ２０３１を介して電気回路部品２００４内の制御回路に接続される。第２の使用状態においては、人感センサ２００５は、第２のコネクタ２０３２を介して電気回路部品２００４内の制御回路に接続される。
【０１３８】
図４６〜図５３には、人感センサ付ＬＥＤランプＡ１を壁Ｗ２の間近に設置した状況を示している。このような状況は、従来の説明で記載したように、壁Ｗ２の近くに設置されていた蛍光灯用の電源装置Ｐ１を利用しようとした場合に発生する。
図４６および図４７において、人感センサ付ＬＥＤランプＡ１は第１の使用状態であり、人感センサ２００５の主検出方向はｚ方向を向いている。図４７に示すように、保持部２０５２は、集光部２５１２が図中下方を向くように球状部材２０５１を保持する第１の保持状態をとる。この第１の保持状態において、人感センサ２００５は、ｚ方向を向く軸線Ｌ１を中心とする検出範囲Ｃ１を有している。しかしながら、図４６に示すように、この検出範囲Ｃ１の一部は壁Ｗ２と重なることになり、実際に有効な検出範囲Ｃ１Ｅは検出範囲Ｃ１よりも狭い範囲となる。検出範囲Ｃ１が部屋の広さ丁度となるように集光部２５１２が設計されている場合、検出範囲Ｃ１Ｅは部屋の広さに対して狭い範囲となってしまう。この場合、たとえば、部屋の壁Ｗ２と反対側に人が居ても、人感センサ２００５はその人が発する赤外線を十分に検出できず、人感センサ付ＬＥＤランプＡ１は消灯する可能性がある。
【０１３９】
上記のような問題が生じた場合、人感センサ付ＬＥＤランプＡ１では、図４８および図４９に示すように、球状部材２０５１の向きを変えることで問題の解決を図ることができる。
図４９に示すように、球状部材２０５１を回動させ、第１の保持状態と異なる第２の保持状態としたとき、集光部２５１２および本体部２５１１に内蔵されたセンサ部２０５３の向きが変わる。この第２の保持状態における人感センサ２００５の主検出方向は、ｚ方向に対して傾斜しており、この主検出方向を向く軸線Ｌ１’は軸線Ｌ１に対して傾斜している。このとき、図４８に示すように人感センサ２００５は軸線Ｌ１’を中心とする検出範囲Ｃ１’を有する。
【０１４０】
図４８に示すように、ｚ方向における図中下方ほどｘ方向において壁Ｗ２から遠ざかるように軸線Ｌ１’を傾斜させると、検出範囲Ｃ１’が壁Ｗ２と重なってしまうのを防ぎやすくなる。検出範囲Ｃ１’は検出範囲Ｃ１よりも壁Ｗ２の反対側に寄ったものとなり、先述した問題が生じにくくなる。
また、上記のような問題が生じた場合、人感センサ付ＬＥＤランプＡ１では、図５０および図５１に示すように第２の使用状態とすることによっても問題の解決を図ることができる。
【０１４１】
図５１に示すように、人感センサ２００５は第２のコネクタ２０３２に連結されている。保持部２０５２は、第１の保持状態をとっており、人感センサ２００５の主検出方向はｚ方向を向いている。このとき、人感センサ２００５は、ｚ方向を向く軸線Ｌ２を中心とする検出範囲Ｃ２を有している。この検出範囲Ｃ２は、検出範囲Ｃ１を第１のコネクタ２０３１と第２のコネクタ２０３２とが離間する長さ分だけｘ方向に水平移動させたものとなる。このような検出範囲Ｃ２は、当然、検出範囲Ｃ１に含まれない領域を含んでいる。また、図５０に示すように、第２のコネクタ２０３２は第１のコネクタ２０３１と比べて壁Ｗ２から遠い位置にあり、検出範囲Ｃ２は壁Ｗ２と重なりにくくなっている。
【０１４２】
しかしながら、部屋がｘ方向に長い場合、人感センサ２００５を水平移動させただけでは、検出範囲Ｃ２が部屋全体に届かないこともある。そのような場合には、さらに、図５２および図５３に示すように、保持部２０５２を第２の保持状態とすることにより問題の解決を図ることができる。
図５３に示すように、球状部材２０５１を回動させ、保持部２０５２に第２の保持状態をとらせると、人感センサ２００５はｚ方向に対して傾斜する主検出方向を向く軸線Ｌ２’を中心とする検出範囲Ｃ２’を有するようになる。
【０１４３】
図５２に示すように、ｚ方向における図中下方ほどｘ方向において壁Ｗ２から遠ざかるように軸線Ｌ２’を定めると、検出範囲Ｃ２’が壁Ｗ２と重なってしまうのをより一層に防ぎやすくなる。検出範囲Ｃ２’は検出範囲Ｃ２よりもさらに壁Ｗ２の反対側に寄ったものとなり、先述した問題が生じにくくなる。
以上のように、人感センサ付ＬＥＤランプＡ１は人感センサ２００５の検出範囲を様々に変更可能であるため、仮に壁間際に設置しなければならない場合であっても、壁の影響を受けにくい検出範囲を選択することが可能となっている。適切な検出範囲を選択することにより、人感センサ付ＬＥＤランプＡ１の人感センサ２００５はより正確に人の存否を判定することができるようになる。
【０１４４】
図５４〜図６１は、第３構成例の他の実施形態を示している。なお、これらの図において、上記実施形態と同一または類似の要素には、上記実施形態と同一の符号を付している。
図５４および図５５には、第３構成例の第２実施形態に基づく人感センサ付ＬＥＤランプを示している。図５４および５５に示す人感センサ付ＬＥＤランプＡ２は、人感センサ２００５の主検出方向を変更するための機構が人感センサ付ＬＥＤランプＡ１の場合と異なっており、その他の構成は人感センサ付ＬＥＤランプＡ１と同様になっている。
【０１４５】
本実施形態では、人感センサ２００５は、円筒状の本体部２５１１と本体部２５１１の先端に取り付けられた半球状の集光部２５１２とを備えている。本体部２５１１の内部に人感センサ付ＬＥＤランプＡ１におけるセンサ部２０５３と同様のセンサ部が設けられている。
本実施形態では、支持部材２００３が、第１の可動部２３４１、第２の可動部２３４２、第１の保持部２３５１、および、第２の保持部２３５２をさらに備えている。第１の保持部２３５１は第１の可動部２３４１を変位可能なように保持し、第２の保持部２３５２は第２の可動部２３４２を変位可能なように保持する。第１の保持部２３５１は、図５５に示すように、開口部２０１１からｚ方向に突き出すように、基板２０３０のｘ方向における一方の端部に設置されている。第２の保持部２３５２は、図５４に示すように、開口部２０１２からｚ方向に突き出すように、基板２０３０のｘ方向における他方の端部に設置されている。第１の保持部２３５１および第２の保持部２３５２は設置場所が異なるだけで同一の構成である。また、第１の可動部２３４１および第２の可動部２３４２も設置場所が異なるだけで同一の構成である。
【０１４６】
第１の可動部２３４１および第２の可動部２３４２は、球状に形成されている。第１の可動部２３４１には第１のコネクタ２０３１が設けられており、第２の可動部２３４２には第２のコネクタ２０３２が設けられている。第１の保持部２３５１には第１の可動部２３４１が嵌合する凹部２３５１ａが形成されている。第２の保持部２３５２には第２の可動部２３４２が嵌合する凹部が形成されている。
【０１４７】
図５５では、第１の可動部２３４１は第１の変位状態にある。この第１の変位状態において、第１のコネクタ２０３１に連結された人感センサ２００５は、ｚ方向を向く軸線Ｌ１を中心とする検出範囲を有している。一方、図５６では、第１の可動部２３４１は、第１の変位状態と異なる第２の変位状態にある。第１の可動部２３４１を凹部２３５１ａ内で回転させることより、第１の変位状態から第２の変位状態へ切り替わる。第２の変位状態においては、第１のコネクタ２０３１に連結された人感センサ２００５は、ｚ方向に対して傾斜する軸線Ｌ１’を中心とする検出範囲を有している。
【０１４８】
第２の可動部２３４２および第２の保持部２３５２は、第１の可動部２３４１および第１の保持部２３５１と同一の構成であるため、第２の可動部２３４２も第１の変位状態および第２の変位状態をとり得る。
人感センサ付ＬＥＤランプＡ２は、人感センサ付ＬＥＤランプＡ１の場合と同様に、人感センサ２００５を第１のコネクタ２０３１に連結させる第１の使用状態と、人感センサ２００５を第２のコネクタ２０３２に連結させる第２の使用状態と、をとることが可能となっている。
【０１４９】
さらに、人感センサ付ＬＥＤランプＡ２では、人感センサ２００５自体に主検出方向を変更する機能がない代わりに、第１のコネクタ２０３１および第２のコネクタ２０３２が設けられた第１の可動部２３４１および第２の可動部２３４２が上述したように変位可能に構成されている。このような構成によっても、人感センサ２００５の検出範囲を適切に選択可能とすることができる。
【０１５０】
図５７および図５８には、第３構成例の第３実施形態に基づく人感センサ付ＬＥＤランプを示している。図５７および図５８に示す人感センサ付ＬＥＤランプＡ３は、可撓部材２００８を備え、人感センサ２００５の細部が人感センサ付ＬＥＤランプＡ１の場合と異なっている。人感センサ付ＬＥＤランプＡ３のその他の構成は人感センサ付ＬＥＤランプＡ１と同様である。なお、図５７および図５８には段差のある天井に人感センサ付ＬＥＤランプＡ３を取り付けた状態を示している。図５７および図５８に示すように、天井Ｗ１ａの一部が床から遠ざかるように凹んでおり、この凹部Ｗ１ｂ内に人感センサ付ＬＥＤランプＡ３は取り付けられている。
【０１５１】
このような位置関係の場合、第１のコネクタ２０３１または第２のコネクタ２０３２に人感センサ２００５を直接連結した場合、凹部Ｗ１ｂの側面によって、人感センサ２００５の検出範囲が制限されることが起こりえる。そこで、本実施形態では、図５７に示すように、可撓部材２００８を用いて天井Ｗ１ａに固定した人感センサ２００５と第１のコネクタ２０３１または第２のコネクタ２０３２とを連結する。
【０１５２】
可撓部材２００８は、長手方向を有し、その長手方向に離間する第１の連結部２０８１および第２の連結部２０８２を備えている。具体的には、可撓部材２００８は複数の銅線を保護用の樹脂で覆ったものの一方の端部に人感センサ２００５に連結可能な第１の連結部２０８１を形成し、他方の端部に第１のコネクタ２０３１または第２のコネクタ２０３２に連結可能な第２の連結部２０８２を形成したものである。人感センサ付ＬＥＤランプＡ３では、第１の使用状態において第２の連結部２０８２を第１のコネクタ２０３１に連結し、第２の使用状態において第２の連結部２０８２を第２のコネクタ２０３２に連結する。
【０１５３】
本実施形態における人感センサ２００５は、球状部材２０５１と保持部２０５２とを備えている。保持部２０５２は天井Ｗ１ａに固定可能なように構成されている。
図５９および図６０には、第３構成例の第４実施形態に基づく人感センサ付ＬＥＤランプを示している。図５９に示す人感センサ付ＬＥＤランプＡ４は、円環状の蛍光灯の代替として用いられるものである。人感センサ付ＬＥＤランプＡ４の基本的な構成は人感センサ付ＬＥＤランプＡ１と同様であるが、環状構造を実現するために異なる点がある。以下において、人感センサ付ＬＥＤランプＡ４の人感センサ付ＬＥＤランプＡ１と異なる点について説明する。
【０１５４】
人感センサ付ＬＥＤランプＡ４は電源装置Ｐ１に連結されたソケットＳａに接続される口金２０７３を備えており、拡散カバー２００１がｚ方向視円環状に形成されている。拡散カバー２００１は口金２０７３の両端を繋ぐように設置されている。拡散カバー２００１内には、周方向に沿って配列された複数のＬＥＤモジュールと、複数のＬＥＤモジュールを支持する支持部材とが収容されている。支持部材は、たとえば、人感センサ付ＬＥＤランプＡ１における基板２０３０と同様の断面を持つ基板をｚ方向視円環状にしたものを備えており、この基板の設置面上に複数のＬＥＤモジュールは設置される。複数のＬＥＤモジュールを制御する制御回路は口金２０７３に収容される。
【０１５５】
このような構造によれば、支持部材の両端が口金２０７３の両端付近に位置することになり、人感センサ付ＬＥＤランプＡ１の場合のように支持部材の両端付近にそれぞれコネクタを設ける意義が小さくなる。このため、本実施形態では、支持部材は１個のコネクタ２０３６を備えている。拡散カバー２００１にはコネクタ２０３６を露出させる開口部が形成されている。この開口部はｚ方向視において、複数のＬＥＤモジュールと重ならない位置、たとえば、口金２０７３の直近に形成される。
【０１５６】
本実施形態における人感センサ２００５は人感センサ付ＬＥＤランプＡ１における人感センサ２００５と同じである。人感センサ２００５はコネクタ２０３６に連結され、コネクタ２０３６を介して制御回路に接続される。
人感センサ２００５は、人感センサ付ＬＥＤランプＡ１の説明において記載したように、球状部材２０５１を回転させることにより検出範囲を変更可能となっている。図６０にはｚ方向を向く軸線Ｌ１を中心とする検出範囲Ｃ１と、ｚ方向に対して傾斜する軸線Ｌ２を中心とする検出範囲Ｃ２を例示している。軸線Ｌ１が向く方向を第１の主検出方向とみなすとき、軸線Ｌ２が向く方向を第２の主検出方向とみなすことができる。
【０１５７】
人感センサ付ＬＥＤランプＡ４においては、人感センサ付ＬＥＤランプＡ１の場合のようにコネクタの位置によって使用状態を変更することはできない。代わりに、球状部材２０５１を回転させることによって使用状態を変更させることになる。人感センサ付ＬＥＤランプＡ４は、人感センサ２００５が検出範囲Ｃ１を有する第１の使用状態と、人感センサ２００５が検出範囲Ｃ２を有する第２の使用状態とをとることができる。
【０１５８】
図６１には、第３構成例の第５実施形態に基づく人感センサ付ＬＥＤランプを示している。図６１に示す人感センサ付ＬＥＤランプＡ５は、白熱電球の代替として用いられるものである。図６１には、天井Ｗ１ａに設けられた凹部Ｗ１ｂの奥にソケットＳｂが設置されている状況を示している。ソケットＳｂは、天井Ｗ１ａに設置された電源装置Ｐ１に接続されている。
【０１５９】
人感センサ付ＬＥＤランプＡ５は、たとえば、略半球状の拡散カバー２００１と、支持部材２００３と、口金２０７４と、可撓部材２００８とを備えている。支持部材２００３には複数のＬＥＤモジュールが設置されている。拡散カバー２００１はこれらのＬＥＤモジュールを覆っている。また、支持部材２００３は、これらのＬＥＤモジュールを制御するための制御回路も内蔵している。口金２０７４は支持部材２００３の図６１中ｚ方向上端部に固定されており、ソケットＳｂに嵌め込まれる。複数のＬＥＤモジュールおよび制御回路は、口金２０７４およびソケットＳｂを介して電源装置Ｐ１に接続される。可撓部材２００８は、たとえば、人感センサ付ＬＥＤランプＡ３における可撓部材２００８と同様のものである。また、人感センサ２００５は、たとえば、人感センサ付ＬＥＤランプＡ３における人感センサ２００５と同様のものである。
【０１６０】
支持部材２００３は、ｘ方向視において拡散カバー２００１と重ならない位置に、上記制御回路に接続されたコネクタ２０３７を備えている。可撓部材２００８の第２の連結部２０８２はコネクタ２０３７に連結される。
このような人感センサ付ＬＥＤランプＡ５は、ｚ方向に長くなりがちであり、図６１に示すように凹部Ｗ１ｂ内に収容される場合がしばしばある。このような場合、仮に、人感センサ２００５を、ｚ方向において比較的床に近い拡散カバー２００１に配置したとしても、凹部Ｗ１ｂの側面によって人感センサ２００５の検出範囲が狭められる可能性がある。人感センサ付ＬＥＤランプＡ５では、そのような場合であっても、人感センサ２００５を可撓部材２００８によって凹部Ｗ１ｂ外に引っ張り出して設置することができ、人感センサ２００５の検出範囲が狭くなるのを防ぐことができる。
【０１６１】
本発明に基づく人感センサ付ＬＥＤランプは、上述した実施形態に限定されるものではない。本発明に基づく人感センサ付ＬＥＤランプの各部の具体的な構成は、種々に設計変更自在である。
たとえば、人感センサ付ＬＥＤランプＡ３および人感センサ付ＬＥＤランプＡ５において、人感センサ２００５は人感センサ付ＬＥＤランプＡ１のものと同様に主検出方向を変更する機能を備えている。しかしながら、人感センサ付ＬＥＤランプＡ３および人感センサ付ＬＥＤランプＡ５では、可撓部材２００８により、人感センサ２００５を比較的自由な位置に設置可能な構成となっている。このため、人感センサ２００５を人感センサ付ＬＥＤランプＡ２のものと同様に簡単な構造とし、人感センサ２００５の設置位置を変えることにより、第１の使用状態と第２の使用状態とをとるようにしてもよい。人感センサ２００５の設置位置は可撓部材２００８を変形させることで容易に実現可能なことである。
【０１６２】
また、人感センサ付ＬＥＤランプＡ１において、第１のコネクタ２０３１および第２のコネクタ２０３２は固定された状態であるが、人感センサ付ＬＥＤランプＡ２における第１のコネクタ２０３１および第２のコネクタ２０３２のように第１，２の可動部２３４１，２３４２に設けても構わない。この場合、第１，２の可動部２３４１，２３４２に、球状部材２０５１を支持する保持部２０５２が嵌め込まれることになる。このようにした場合、検出範囲をより幅広く変更することが可能となる。
【０１６３】
また、さらに、人感センサ付ＬＥＤランプＡ１において、第１のコネクタ２０３１および第２のコネクタ２０３２をｚ方向に可動なように構成してもよい。人感センサ付ＬＥＤランプＡ３の説明で示した状況のように、天井Ｗ１の凹んだ部分に人感センサ付ＬＥＤランプＡ１も設置されることは有り得る。そのような場合に、第１のコネクタ２０３１および第２のコネクタ２０３２をｚ方向において床面に近づくように引っ張り出せる構成にしておくと、人感センサ２００５の検出範囲が天井Ｗ１の凹みによって狭められるリスクが低くなる。なお、人感センサ２００５自体に、集光部２５１２をｚ方向において床面に近づくように移動させる機能を付けてもよい。
【０１６４】
また、人感センサ付ＬＥＤランプＡ１において、電気回路部品２００４内の制御回路に切り替え機能を設けておき、人感センサ２００５からの信号と無関係に複数のＬＥＤモジュール２００２が点灯する状態に切り替えられるようにしてもよい。この場合、第１のコネクタ２０３１および第２のコネクタ２０３２を拡散カバー２００１と似た外観のカバーで覆うのがよい。なお、人感センサ付ＬＥＤランプＡ２〜Ａ４でも同様のことを行うことができる。
【０１６５】
その他、特許請求の範囲に記載された事項の範囲で種々の設計変更を施すことが可能である。
この明細書および図面の記載からは、特許請求の範囲に記載した特徴以外にも、以下のような特徴が抽出され得る。
Ａ１．照明器具に取り付けられるＬＥＤランプであって、
複数のＬＥＤチップを含むＬＥＤ光源部と、
感度中心軸を中心とした感度領域を有する人感センサと、
前記ＬＥＤ光源部と前記人感センサとを共通に保持するケースとを含み、
前記ＬＥＤ光源部の発光域の中心を通る照明中心軸と、前記人感センサの感度中心軸とが非平行である、ＬＥＤランプ。
【０１６６】
この構成によれば、人感センサがＬＥＤランプに内蔵されているので、照明器具に人感センサが備えられていなくても、照明対象領域の周辺への人の立ち入りを感知できる機能を有する照明装置を提供できる。そして、照明中心軸と人感センサの感度中心軸とが非平行であるため、照明中心軸と感度中心軸とを独立に設定できる。そのため、たとえば、ＬＥＤ光源部の発光域の中心を回避した位置に人感センサを配置して点灯時の見栄えを向上しつつ、照明対象領域の周辺への人の立ち入りを良好に検知できるように人感センサの感度領域を設定できる。こうして、点灯時の見栄えと、良好な人検知機能とを両立したＬＥＤランプを提供できる。
【０１６７】
前記ケースは、電球形状を有していてもよいし、直管形状を有していてもよい。すなわち、ＬＥＤランプは、電球の代替として用いることができる電球型に構成されていてもよいし、直管型蛍光灯の代替として用いることができる直管型に構成されていてもよい。
Ａ２．前記ケースが所定の長手方向に延びた直管状に形成されており、
前記複数のＬＥＤチップが前記所定方向に延びて配列されており、
前記人感センサが前記ケースの長手方向中心から離れた位置に配置されている、項Ａ１に記載のＬＥＤランプ。
【０１６８】
この構成によれば、人感センサがケースの長手方向中心から離れた位置に配置されているので、ＬＥＤランプの点灯時に長手方向中央が暗部にならない。したがって、点灯時の見栄えのよい直管型ＬＥＤランプを提供できる。
Ａ３．前記照明中心軸が、前記ケースの長手方向と直交しており、
前記人感センサの感度中心軸が、当該人感センサから前記照明中心軸に近づく方向に傾斜している、項Ａ２に記載のＬＥＤランプ。
【０１６９】
この構成によれば、照明中心軸を中心に広がる照明対象領域と人感センサの感度領域とを整合させることができる。これにより、照明対象領域の周辺への人の立ち入りを良好に検知でき、かつ長手方向中央部の暗部がなく見栄えのよいＬＥＤランプを提供できる。
Ａ４．前記人感センサが前記ケースの長手方向一端部に配置されている、項Ａ２またはＡ３に記載のＬＥＤランプ。この構成により、ケースの長手方向に沿って延びるＬＥＤ光源部の発光域の途中に人感センサに起因する暗部が形成されない。そのため、点灯時の見栄えを一層よくすることができる。
Ａ５．前記ケースの長手方向両端部に設けられ、前記人感センサを着脱自在に保持し、かつ前記人感センサに電気的に接続される一対のコネクタをさらに含む、項Ａ４に記載のＬＥＤランプ。この構成によれば、ＬＥＤランプに備えられたコネクタに人感センサを着脱できるので、人検知機能を任意に付加できる。すなわち、人検知機能のない仕様と、人検知機能のある仕様とに共通に適用可能な設計のＬＥＤランプを提供できる。加えて、照明器具の種類や配置に応じて、適切な構造の人感センサを選択して使用できる。また、ケースの長手方向両端部にそれぞれコネクタが備えられているので、人感センサをいずれの端部にでも配置できる。よって、照明器具の配置等の個別の事情に応じて人感センサの配置を任意に選択できる。
Ａ６．前記ＬＥＤ光源部から照明対象領域に向けて所定距離離れた位置において、前記人感センサの感度中心軸と前記照明中心軸とが交差している、項Ａ１〜Ａ５のいずれか一項に記載のＬＥＤランプ。この構成により、ＬＥＤ光源部の発光域の中心を回避して人感センサを配置しても、照明対象領域の周辺への人の立ち入りを良好に検知できる。
Ａ７．前記ＬＥＤ光源部から照明対象領域に向けて所定距離離れた位置における前記人感センサの感度領域中心が、前記ＬＥＤ光源部の発光域の中心に前記人感センサを配置して前記照明中心軸と当該人感センサの感度中心軸とを一致させた場合の仮想的な感度領域中心と一致している、項Ａ１〜Ａ６のいずれか一項に記載のＬＥＤランプ。この構成により、ＬＥＤ光源部の発光域の中心を回避して人感センサを配置しても、照明対象領域の周辺への人の立ち入りを良好に検知できる。すなわち、人感センサを発光域の中心に配置した場合と同等の人検知機能を実現できる。
Ａ８．前記ケースに設けられ、前記人感センサを着脱自在に保持し、かつ前記人感センサに電気的に接続されるコネクタをさらに含む、項Ａ１〜Ａ７のいずれか一項に記載のＬＥＤランプ。この構成によれば、ＬＥＤランプに備えられたコネクタに人感センサを着脱できるので、人検知機能を任意に付加できる。すなわち、人検知機能のない仕様と、人検知機能のある仕様とに共通に適用可能な設計のＬＥＤランプを提供できる。加えて、照明器具の種類や配置に応じて、適切な構造の人感センサを選択して使用できる。
Ａ９．前記人感センサが、センサ本体と、センサ本体から延びたリード線と、リード線の端部に固定され前記コネクタに結合可能なプラグとを含む、項Ａ８に記載のＬＥＤランプ。この構成により、センサ本体をＬＥＤランプのケースから離れた位置に配置できるから、人感センサの感度領域を一層自由に設定できる。たとえば、埋め込み型照明器具にＬＥＤランプが適用される場合に、ケースの位置からでは適切な感度領域が得られないおそれがある。より具体的には、照明器具の構造によって感度領域が狭められるおそれがある。このような場合に、センサ本体をケースから離して配置することによって、良好な感度領域を得ることができる。
Ａ１０．前記人感センサを前記ケースに対して前記感度中心軸の方向を変更可能に取り付けるセンサ取り付け構造をさらに含む、項Ａ１〜Ａ９のいずれか一項に記載のＬＥＤランプ。この構成により、人感センサの感度領域を一層自由に設定できるので、点灯時の見栄えと良好な人検知機能との両立が容易になる。
Ａ１１．前記人感センサは、焦電型赤外センサを含み、
前記焦電型赤外センサの受光面への赤外線入射経路を開閉するシャッタユニットをさらに含む、項Ａ１〜Ａ１０のいずれか一項に記載のＬＥＤランプ。
【０１７０】
焦電型赤外センサの感度領域内に人がいるとき、シャッタユニットによって赤外線入射経路を開閉（たとえば周期的に遮断）すると、たとえその人が静止しているときでも、焦電型赤外センサは、焦電効果による信号を出力する。感度領域内に人がいなければ、赤外線入射経路が開閉されても焦電型赤外センサの出力に有意な変化があらわれない。こうして、温度センサに比較して格段に安価な焦電型赤外センサを用いて、静止人体感知機能を提供できる。しかも、人感センサに備えられた焦電型赤外センサを静止人体感知のために兼用できるので、ＬＥＤランプのコストを効果的に低減できる。
Ａ１２．予め定める感度領域を有する焦電型赤外センサと、
前記焦電型赤外センサの受光面への赤外線入射経路を開閉するシャッタユニットとをさらに含み、
前記制御装置は、前記焦電型赤外センサの出力信号に基づいて前記感度領域内の人の有無を判断し、その判断結果に応じて前記ＬＥＤ光源部を制御するように構成されている、項Ａ１〜Ａ１０のいずれか一項に記載のＬＥＤランプ。
【０１７１】
この構成によっても、同様の原理によって、温度センサを用いることなく、静止人体検知機能を提供できる。また、人感センサとは別に焦電型赤外センサを設けているので、焦電型赤外センサと人感センサとの感度領域を個別に設定できる。これにより、静止した人の有無をより適切に検知し、その検知結果に応じてＬＥＤ光源部を適切に制御できる。
Ｂ１．複数のＬＥＤチップと、
上記複数のＬＥＤチップへの供給電力を制御する制御部と、
使用者が携帯する電波発信手段から発せられた電波を検知し、その検知信号を上記制御部へと出力する電波検知部と、
を備えることを特徴とする、ＬＥＤランプ。
【０１７２】
この構成によれば、上記使用者が上記ＬＥＤランプの近辺にとどまっていると、上記使用者が携帯する上記電波発信手段からの電波を上記電波検知部が検知することにより、上記使用者の存在を認識することができる。したがって、上記ＬＥＤランプの近辺に上記使用者がとどまっている場合に、上記使用者の意図に反して上記ＬＥＤランプを消灯してしまうことを回避することができる。
Ｂ２．上記制御部は、上記複数のＬＥＤチップに点灯状態をとらせているときに、上記電波検知部からの検知信号が入力されると、点灯状態を継続する、項Ｂ１に記載のＬＥＤランプ。
Ｂ３．上記制御部は、上記電波検知部からの検知信号に基づく電波強度が基準電波強度より強いときに、上記複数のＬＥＤチップの点灯状態を継続する、項Ｂ２に記載のＬＥＤランプ。
Ｂ４．上記電波発信手段は、携帯型電話機である、項Ｂ１ないしＢ３のいずれかに記載のＬＥＤランプ。
Ｂ５．上記電波検知部は、上記携帯型電話機からの位置情報電波を検知する、項Ｂ４に記載のＬＥＤランプ。
Ｂ６．上記電波検知部は、上記携帯型電話機からの着信完了情報電波を検知する、項Ｂ４に記載のＬＥＤランプ。
Ｂ７．使用者が検知範囲に進入したことを検知し、その検知信号を上記制御部へと出力する人感センサを備えており、
上記制御部は、上記複数のＬＥＤチップに消灯状態をとらせているときに、上記人感センサからの検知信号が入力されると、上記複数のＬＥＤチップに点灯状態をとらせる、項Ｂ１ないしＢ６のいずれかに記載のＬＥＤランプ。
Ｂ８．上記人感センサは、使用者が発する赤外線を検知する、項Ｂ７に記載のＬＥＤランプ。
Ｂ９．上記制御部は、上記複数のＬＥＤチップの点灯時間を計時するタイマー回路を有しており、この点灯時間が所定点灯時間を越えたときに点灯状態にある上記複数のＬＥＤチップに消灯状態をとらせる、項Ｂ７またはＢ８に記載のＬＥＤランプ。
Ｂ１０．上記制御部は、上記複数のＬＥＤチップが点灯状態にあるときに、上記人感センサからの検知信号が入力されると、上記タイマー回路による上記点灯時間の計時をリセットする、項Ｂ９に記載のＬＥＤランプ。
Ｂ１１．上記制御部は、上記複数のＬＥＤチップが点灯状態にあるときに、上記電波検知部からの検知信号が入力されると、上記タイマー回路による上記点灯時間の計時をリセットする、項Ｂ９またはＢ１０に記載のＬＥＤランプ。
Ｂ１２．外光の照度を検知し、その検知信号を上記制御部へと出力する照度センサを備えており、
上記制御部は、上記照度センサからの検知信号に基づく照度が、あらかじめ定められた基準照度よりも暗いときに、上記複数のＬＥＤチップに全点灯よりも暗い常夜点灯状態をとらせる、常夜点灯モードを選択可能である、項Ｂ１ないしＢ１１のいずれかに記載のＬＥＤランプ。
Ｂ１３．上記照度センサからの検知信号に基づく照度を記憶する記憶部を備えており、
上記基準照度は、外光を受けていないときに上記複数のＬＥＤチップに常夜点灯状態をとらせたときの照度に一定照度を加えた照度である、項Ｂ１２に記載のＬＥＤランプ。
Ｂ１４．上記制御部は、上記記憶部に照度を記憶させる初回設定モードを選択可能である、項Ｂ１３に記載のＬＥＤランプ。
Ｂ１５．上記制御部は、上記初回設定モードが選択されていないときには、上記記憶部への新たな記憶を禁止する、項Ｂ１４に記載のＬＥＤランプ。
Ｂ１６．上記制御部は、上記記憶部の記憶を消去するリセットモードを選択可能である、項Ｂ１３ないしＢ１５のいずれかに記載のＬＥＤランプ。
Ｃ１．複数のＬＥＤモジュールと、
上記複数のＬＥＤモジュールと接続された制御回路と、
上記制御回路に接続され、かつ、所定の検出範囲を有する人感センサと、
を備えた人感センサ付ＬＥＤランプであって、
上記人感センサが第１の検出範囲を有する第１の使用状態と、
上記人感センサが上記第１の検出範囲に含まれない領域を含む第２の検出範囲を有する第２の使用状態と、をとることを特徴とする、人感センサ付ＬＥＤランプ。
【０１７３】
本発明によって提供される人感センサ付ＬＥＤランプは、たとえば、天井に設置され、室内を照明するために用いられるものである。上記人感センサは、たとえば、赤外線を検知することにより上記検出範囲内における人の存否を判断して上記制御回路に信号を発信する。上記制御回路は上記検出範囲内に人が居ないことを示す信号を受信した場合に上記複数のＬＥＤモジュールを消灯する制御を行うものである。人感センサ付ＬＥＤランプの設置場所によっては、上記室内の一部の領域が上記検出範囲外となることがある。本発明によって提供される人感センサ付ＬＥＤランプは、たとえば上記第１の使用状態において、上記室内の一部の領域が上記第１の検出範囲外となった場合には上記第２の使用状態で使用することで問題の解消を図ることができる。上記第２の使用状態では、上記人感センサは上記第１の検出範囲に含まれない領域を含む第２の検出範囲を有している。このため、上記第１の検出範囲外であった上記室内の一部の領域が上記第２の検出範囲に含まれることが十分に起こり得る。上記第１の使用状態で正確に人の存否を判定できない場合でも、上記第２の使用状態にすることで正確に人の存否を判定できることがありえる。従って、本発明によって提供される人感センサ付ＬＥＤランプによれば、人感センサの検出範囲が一通りに固定されている場合よりも、人の存否を正確に判定可能である。
Ｃ２．上記複数のＬＥＤモジュールは第１の方向に沿って配列されており、
上記第１の方向に沿って長く延び、かつ、上記複数のＬＥＤモジュールを支持する支持部材を備えており、
上記支持部材は、上記制御回路に接続された第１のコネクタと、上記第１の方向において上記第１のコネクタと離間し、かつ、上記制御回路に接続された第２のコネクタを備えており、
上記第１の使用状態において、上記人感センサは上記第１のコネクタを介して上記制御回路に接続され、
上記第２の使用状態において、上記人感センサは上記第２のコネクタを介して上記制御回路に接続される、項Ｃ１に記載の人感センサ付ＬＥＤランプ。
Ｃ３．上記第１の検出範囲は、第１の主検出方向を向く軸線を中心としており、
上記第１の使用状態において、上記人感センサは、上記第１の主検出方向に対して傾斜する第２の主検出方向を向く軸線を中心とする追加の第１の検出範囲をさらに有する、項Ｃ２に記載の人感センサ付ＬＥＤランプ。
Ｃ４．上記第２の検出範囲は、第１の主検出方向を向く軸線を中心としており、
上記第２の使用状態において、上記人感センサは、上記第２の主検出方向を向く軸線を中心とする追加の第２の検出範囲をさらに有する、項Ｃ３に記載の人感センサ付ＬＥＤランプ。
Ｃ５．上記人感センサは、センサ部と、上記センサ部を保持する保持部とを備えており、
上記保持部は、上記人感センサが上記第１の主検出方向を向く軸線を中心とする検出範囲を有するように上記センサ部を保持する第１の保持状態と、上記人感センサが上記第２の主検出方向を向く軸線を中心とする検出範囲を有するように上記センサ部を保持する第２の保持状態と、をとる、項Ｃ３またはＣ４に記載の人感センサ付ＬＥＤランプ。
Ｃ６．上記人感センサは球状部材をさらに備えており、
上記センサ部は球状部材に設けられており、
上記保持部には上記球状部材が嵌合する凹部が形成されており、
上記球状部材を上記凹部内で回転させることにより、上記第１の保持状態と上記第２の保持状態とが切り替わる、項Ｃ５に記載の人感センサ付ＬＥＤランプ。
Ｃ７．上記支持部材は、上記第１のコネクタが設けられた第１の可動部と、上記第１の可動部を変位可能なように保持する第１の保持部と、を備えており、
上記第１の可動部は、上記第１のコネクタに接続された上記人感センサが上記第１の主検出方向を向く軸線を中心とする検出範囲を有する第１の変位状態と、上記第１のコネクタに接続された上記人感センサが上記第２の主検出方向を向く軸線を中心とする検出範囲を有する第２の変位状態と、をとる、項Ｃ３ないしＣ６のいずれかに記載の人感センサ付ＬＥＤランプ。 
Ｃ８．上記第１の可動部は球状に形成されており、上記第１の保持部には上記第１の可動部が嵌合する凹部が形成されており、
上記第１の可動部を上記凹部内で回転させることにより、上記第１の可動部の上記第１の変位状態と上記第２の変位状態とが切り替わる、項Ｃ７に記載の人感センサ付ＬＥＤランプ。
Ｃ９．上記支持部材は、上記第２のコネクタが設けられた第２の可動部と、上記第２の可動部を変位可能なように保持する第２の保持部と、を備えており、
上記第２の可動部は、上記第２のコネクタに接続された上記人感センサが上記第１の主検出方向を向く軸線を中心とする検出範囲を有する第１の変位状態と、上記第２のコネクタに接続された上記人感センサが上記第２の主検出方向を向く軸線を中心とする検出範囲を有する第２の変位状態と、をとる、項Ｃ７またはＣ８に記載の人感センサ付ＬＥＤランプ。
Ｃ１０．上記第２の可動部は球状に形成されており、上記第２の保持部には上記第２の可動部が嵌合する凹部が形成されており、
上記第２の可動部を上記凹部内で回転させることにより、上記第２の可動部の上記第１の変位状態と上記第２の変位状態とが切り替わる、項Ｃ９に記載の人感センサ付ＬＥＤランプ。
Ｃ１１．長手方向を有する可撓部材をさらに備えており、
上記可撓部材は、上記長手方向に離間する第１の連結部および第２の連結部を備えており、
上記第１の連結部は上記人感センサに連結され、
上記第２の連結部は、上記第１の使用状態においては上記第１のコネクタに連結され、上記第２の使用状態においては上記第２のコネクタに連結される、項Ｃ２ないしＣ１０のいずれかに記載の人感センサ付ＬＥＤランプ。
Ｃ１２．上記第１のコネクタおよび上記第２のコネクタは、上記第１の方向と直交する第２の方向視において、上記複数のＬＥＤモジュールと重ならない位置に設置されている、項Ｃ２ないしＣ１１のいずれかに記載の人感センサ付ＬＥＤランプ。
Ｃ１３．上記第１のコネクタは上記支持部材の上記第１の方向における一方の端部に設置されており、上記第２のコネクタは上記支持部材の上記第１の方向における他方の端部に設置されている、項Ｃ１２に記載の人感センサ付ＬＥＤランプ。
Ｃ１４．上記複数のＬＥＤモジュールを覆い、上記第１の方向に長く延びる拡散カバーを備えており、上記拡散カバーには、上記第１のコネクタを露出させる第１の開口部および上記第２のコネクタを露出させる第２の開口部が形成されている、項Ｃ２ないしＣ１３に記載の人感センサ付ＬＥＤランプ。
Ｃ１５．上記第１の検出範囲は、第１の主検出方向を向く軸線を中心とし、
上記第２の検出範囲は、上記第１の主検出方向に対して傾斜する第２の主検出方向を向く軸線を中心とする、項Ｃ１に記載の人感センサ付ＬＥＤランプ。
Ｃ１６．上記複数のＬＥＤモジュールを支持する支持部材を備えており、
上記支持部材は、上記制御回路に接続されたコネクタを備えており、
上記人感センサは、上記コネクタを介して上記制御回路に接続されている、項Ｃ１５に記載の人感センサ付ＬＥＤランプ。 
Ｃ１７．上記人感センサは、センサ部と、上記センサ部を保持する保持部とを有しており、
上記保持部は、上記第１の使用状態において、上記人感センサが上記第１の検出範囲を有するように上記センサ部を保持し、上記第２の使用状態において、上記人感センサが上記第２の検出範囲を有するように上記センサ部を保持する、項Ｃ１６に記載の人感センサ付ＬＥＤランプ。
Ｃ１８．上記人感センサは球状部材をさらに備えており、
上記センサ部は球状部材に設けられており、
上記保持部には上記球状部材が嵌合する凹部が形成されており、
上記球状部材を上記凹部内で回転させることにより、上記第１の使用状態と上記第２の使用状態とが切り替わる、項Ｃ１７に記載の人感センサ付ＬＥＤランプ。
Ｃ１９．上記支持部材は、上記コネクタが設けられた可動部と、上記可動部を変位可能なように保持する保持部と、を有しており、
上記可動部は、上記コネクタに接続された上記人感センサが上記第１の検出範囲を有する第１の変位状態と、上記コネクタに接続された上記人感センサが上記第２の検出範囲を有する第２の変位状態と、をとる、項Ｃ１６ないしＣ１８のいずれかに記載の人感センサ付ＬＥＤランプ。
Ｃ２０．上記可動部は球状に形成されており、上記保持部には上記可動部が嵌合する凹部が形成されており、
上記可動部を上記凹部内で回転させることにより、上記可動部の上記第１の変位状態と上記第２の変位状態とが切り替わる、項Ｃ１９に記載の人感センサ付ＬＥＤランプ。
Ｃ２１．長手方向を有する可撓部材をさらに備えており、
上記可撓部材は、上記長手方向に離間する第１の連結部および第２の連結部を備えており、
上記第１の連結部は上記人感センサに連結され、
上記第２の連結部は上記コネクタに連結される、項Ｃ１６ないしＣ２０のいずれかに記載の人感センサ付ＬＥＤランプ。
Ｃ２２．上記複数のＬＥＤモジュールを支持し、かつ、上記制御回路に接続されたコネクタを備えた支持部材と、
長手方向を有する可撓部材と、をさらに備えており、
上記可撓部材は、上記長手方向に離間する第１の連結部および第２の連結部を備えており、
上記第１の連結部は上記人感センサに連結され、
上記第２の連結部は上記コネクタに連結され、
上記可撓部材を変形させることにより、上記第１の使用状態と上記第２の使用状態とが切り替わる、項Ｃ１に記載の人感センサ付ＬＥＤランプ。
Ｃ２３．上記複数のＬＥＤモジュールを覆う拡散カバーをさらに備えており、
上記拡散カバーには、上記コネクタを露出させる開口部が形成されている、項Ｃ１６ないしＣ２２のいずれかに記載の人感センサ付ＬＥＤランプ。
Ｃ２４．上記複数のＬＥＤモジュールの少なくとも一部は、第１の方向を含む設置面上に設置されており、
上記設置面に対して垂直な方向視において、上記コネクタは上記複数のＬＥＤモジュールと重ならない位置に配置されている、項Ｃ１６ないしＣ２３のいずれかに記載の人感センサ付ＬＥＤランプ。
【０１７４】
以上の発明によれば、照明対象領域の周辺への人の立ち入りを検知できる機能を有し、かつ点灯時の見栄えのよいＬＥＤランプを提供することができる。
また、本発明は、複数のＬＥＤチップを内蔵しており、使用者の有無により点灯状態と消灯状態とを切り替えるＬＥＤランプに関する。
図３８は、従来のＬＥＤランプの一例を示している（たとえば、特開２００９−１６０９３号公報参照）。同図に示されたＬＥＤランプ１９００は、光源として複数のＬＥＤチップ（図示略）を内蔵しており、天井１８５０に取り付けられている。ＬＥＤランプ１９００は、人感センサ１０９１を備えている。人感センサ１０９１は、たとえば赤外線を受けることにより起電力を生じる赤外線センサであり、床１８６０を歩く使用者１８００が検知範囲１０９２に進入すると、検知信号を出力する。ＬＥＤランプ１９００は、人感センサ１０９１からの検知信号に基づいて、上記複数のＬＥＤチップを点灯させる。
【０１７５】
赤外線を受けることによる起電力を利用した人感センサ１０９１は、使用者１８００が検知範囲１０９２に進入したことは検知可能であるが、使用者１８００が検知範囲１０９２に居続けていることを検知することは、原理上不可能である。このため、ＬＥＤランプ１９００は、人感センサ１０９１から検知信号が出力された後、一定時間後に上記複数のＬＥＤチップを消灯させる。このとき、使用者１８００がいまだＬＥＤランプ１９００の照射範囲に居続けていると、使用者１８００は意図せず暗い環境に置かれることとなる。
【０１７６】
本発明は、上記した事情のもとで考え出されたものであって、使用者の意図に反して消灯してしまうことを抑制するＬＥＤランプを提供することができる。
また、本発明は、複数のＬＥＤチップを内蔵し、たとえば屋内の照明に用いられる人感センサ付ＬＥＤランプに関する。
図６２には、従来の人感センサ付ＬＥＤランプの一例を示している（たとえば特開２００９−１６０９３号公報参照）。同図に示された人感センサ付ＬＥＤランプ２０９０は、フレーム２０９１と、放熱板２０９２と、複数の基板２０９３と、各基板２０９３に複数設置されたＬＥＤモジュール２０９４と、電気回路部品２０９５と、人感センサ２０９６と、拡散カバー２０９７と、エンドキャップ２０９８ａ，２０９８ｂとを備えている。
【０１７７】
同図に示すように人感センサ付ＬＥＤランプ２０９０はｘ方向に長く延びるように形成されている。同図に示すｙ，ｚ方向はｘ方向に対して直交する方向である。放熱板２０９２は、たとえばアルミ製であり、ｚ方向において複数の基板２０９３とフレーム２０９１とに挟まれるように配置される。複数の基板２０９３は、ｘ方向に沿って配列されており、たとえばネジを用いてフレーム２０９１に取り付けられている。複数のＬＥＤモジュール２０９４は基板２０９３に互いに所定の間隔を隔てて配置されている。これらのＬＥＤモジュール２０９４が点灯時に発する熱は放熱板２０９２に伝達する。電気回路部品２０９５は、外部からの交流電流を直流電流に整流し、複数のＬＥＤモジュール２０９４に一定の電流を供給する制御回路を備えている。電気回路部品２０９５は、フレーム２０９１のｘ方向における一方の端部に設置される。人感センサ２０９６は、赤外線を受光する略円筒状のセンサ部２９６１を備えている。人感センサ２０９６は、電気回路部品２０９５に固定されている。拡散カバー２０９７はたとえば白色樹脂によってＵ字状断面を有してｘ方向に長く延びるように形成されている。拡散カバー２０９７は、複数のＬＥＤモジュール２０９４を覆うようにフレーム２０９１に取り付けられている。フレーム２０９１および拡散カバー２０９７のｘ方向における一方の端部にはエンドキャップ２０９８ａが差し込まれており、他方の端部にはエンドキャップ２０９８ｂが差し込まれている。エンドキャップ２０９８ａには、人感センサ２０９６のセンサ部２９６１を露出させるための開口部２９８１が形成されている。
【０１７８】
このような人感センサ付ＬＥＤランプ２０９０は、たとえば、直管型の蛍光灯の代替として、拡散カバー２０９７が床面を向くように天井に取り付けられ、商用電源に接続される。電源の投入に伴い、電気回路部品２０９５によって整流された直流電流が複数のＬＥＤモジュール２０９４に供給され、複数のＬＥＤモジュール２０９４が点灯する。人感センサ２０９６は、たとえば天井から床に向かう方向を向く軸線を中心とする検出範囲を有している。人感センサ２０９６は、この検出範囲内にいる人間の体温を検出することによって、検出範囲内における人の存否を判定する。人感センサ２０９６は、検出範囲内に人が居ないと判定した場合には、その旨を伝える信号を電気回路部品２０９５内の制御回路に伝達する。この信号を受信した場合には、制御回路は複数のＬＥＤモジュール２０９４への電流の供給を停止する制御を行う。このため、人感センサ付ＬＥＤランプ２０９０は、仮に消灯するのを忘れた場合でも、室内に人が居なければ自然に消灯し、電力消費の低減に寄与する。
【０１７９】
図６３には、人感センサ付ＬＥＤランプ２０９０を天井Ｗ１の壁Ｗ２に近い領域に設置した状況を示している。人感センサ付ランプ２０９０を使用可能な状態にするには、電気回路部品２０９５を商用電源に接続する必要がある。このため、天井Ｗ１には、商用電源に接続された電源装置２０９９が設置される。電気回路部品２０９５が電源装置２０９９に接続されるように人感センサ付ランプ２０９０は天井Ｗ１に固定される。
【０１８０】
人感センサ付ランプ２０９０の使用形態としては、既存の蛍光灯と置き換えて使用するケースが想定される。この場合、天井Ｗ１には蛍光灯に電力を供給するための電源装置２０９９が既に設置されている。電気回路部品２０９５を既設の電源装置２０９９に接続する必要があるため、人感センサ付ランプ２０９０を天井Ｗ１の任意の場所に任意の向きで固定するわけにはいかず、特定の場所に特定の向きでしか固定できないことになる。図６３に示す状況のように、電源装置２０９９が壁Ｗ２に比較的近い位置にある場合には、以下のような問題が生じることがある。
【０１８１】
上述したように、人感センサ付ランプ２０９０における人感センサ２０９６は、電気回路部品２０９５に固定されている。このため、電源装置２０９９が壁Ｗ２に比較的近い位置にある場合には、人感センサ付ランプ２０９０は、電気回路部品２０９５が壁Ｗ２の近くに配置される向きで天井Ｗ１に固定される。上述したように人感センサ２０９６は電気回路部品２０９５に固定されており、人感センサ２０９６も壁Ｗ２のすぐ近くに配置されることになる。このとき、人感センサ２０９６の検出範囲Ｃｘは、壁Ｗ２が障害となり、本来人感センサ２０９６が検出可能な範囲の一部しか有効活用されないことになる。人感センサ２０９６の本来の検出範囲が、人感センサ付ランプ２０９０が設置されることが想定される部屋の大きさと同程度である場合、壁Ｗ２によって制限された検出範囲Ｃｘは部屋の大きさよりも小さいことになる。このような場合、たとえば、室内の壁Ｗ２と反対側の壁近くに人が居ても、人感センサ２０９６はその人を検出できず、人が居ないときの信号を制御回路に出力し、消灯してしまうことが起こりえる。このような問題があるため、電源装置２０９９が壁の近くにある部屋には人感センサ付ランプ２０９０を取り付けることができなかったり、電源装置２０９９の位置を変更する工事を行う必要が生じたりすることがあった。
【０１８２】
本発明は、上記した事情のもとで考え出されたものであって、より正確に人の存否を判定可能な人感センサ付ランプを提供することができる。
【符号の説明】
【０１８３】
１  ＬＥＤランプ
２  ＬＥＤ光源部
３  支持部材
４  ケース
５  キャップ
６  口金
７  基板
８  ＬＥＤモジュール
９  発光域
９ａ  発光域の中心
１１  人感センサモジュール
１２  照度センサモジュール
１３  温度センサモジュール
１５  コネクタ（人感センサ用）
１６  開口（人感センサ用）
１７  コネクタキャップ
２０  センサ本体
２１  モジュールケース
２２  端子ピン
２３  感度中心軸
２３ｉ  仮想的な感度領域の感度中心軸
２４  感度領域
２４ｉ  仮想的な感度領域
２７  ＬＥＤチップ
２８  封止樹脂
２９Ａ，２９Ｂ  リード
３０  リフレクタ
３１  ワイヤ
３５  照明中心軸
３６  照明領域
３７  照明対象領域
４０  照明器具
４１  ソケット
４２  ソケット
４３  電源スイッチ
５０  マイクロコンピュータ
５１  ＬＥＤドライバ
５２  ＡＣ／ＤＣコンバータ
５３  リレー
５４  ＰＷＭ入力端子
５５  ＡＣ／ＤＣコンバータ
５６  駆動回路
５８  リレードライバ
６０  モード設定スイッチ
６１  リセットスイッチ
６２  メモリ
７０  埋め込み型照明器具
７１  天井
７２  開口
７３  器具本体
７４  空間
７５  コネクタ
８０  人感センサモジュール
８１  センサ本体
８２  リード線
８３  プラグ
８５  電球用ソケット
８６  口金
８７  ケース
８８  円筒部
８９  ドーム部
９０  突出部
９１  人感センサ
９２  感度中心軸
９３  感度領域
９５  照明中心軸
９６  部屋
９７  天井
１０１  ＬＥＤランプ
１０２  ＬＥＤランプ
１０３  ＬＥＤランプ
１０４  ＬＥＤランプ
１０５  ＬＥＤランプ
１０６  ＬＥＤランプ
１０７  ＬＥＤランプ
１０８  ＬＥＤランプ
１２０  埋め込み型照明器具
１２１  電球用ソケット
１２２  天井
１２３  開口
１２４  器具本体
１２５  空間
１３０  口金
１３１  ケース
１３２  円筒部
１３３  ドーム部
１３５  コネクタ
１４０  人感センサモジュール
１４１  センサ本体
１４２  リード線
１４３  プラグ
１５０  人感センサモジュール
１５１  センサ取り付け構造
１５２  モジュール保持部材
１５３  モジュールケース
１５４  センサ本体
１５５  球面状の外表面
１５８  ボルト
１５９  感度中心軸
１６０  人感センサモジュール
１６１  モジュールケース
１６２  センサ本体
１６３  感度中心軸
１６４  感度領域
１６５  センサ取り付け構造
１６６  照明中心軸
１７０  人感センサモジュール
１７２  端子ピン
１７５  保持ケース
１８０  人感センサモジュール
２００  シャッタユニット
２０１  焦電型赤外センサ
２０２  フレネルレンズ
２０３  受光面
２０５  検知可能領域
２０６  検知不能領域
２１０  焦電型赤外センサ
１１０１  ＬＥＤランプ
１１１０  照明器具
１２００  基板
１２１０  カバー
１３００  放熱部材
１４００  ＬＥＤモジュール 
１４１０  ＬＥＤチップ
１５００  コネクタ
１６００  電源部
１７００  制御部
１７１０  記憶部
１７２０  ＬＥＤドライバ
１７５０  電波検知部
１７６０  人感センサ
１７７０  照度センサ
１８００  使用者
１８１０  携帯型電話機（電波発信手段）
１８５０  天井
１８６０  床
１８７０  窓
Ｉｍ    照度
Ｉｍｓ  基準照度
Ｒｗ    電波強度
Ｒｗｓ  基準電波強度
２００１        拡散カバー
２００２        ＬＥＤモジュール
２００３        支持部材
２００４        電気回路部品（制御回路）
２００５        人感センサ
２００８        可撓部材
２０１１，２０１２  開口部
２０３０      基板
２０３１      第１のコネクタ
２０３２      第２のコネクタ
２０３３      放熱板
２０３６，２０３７  コネクタ
２０５１      球状部材
２０５２      保持部
２０５３      センサ部
２０６１，２０６２  エンドキャップ
２０７１，２０７２，２０７３，２０７４  口金
２０８１      第１の連結部
２０８２      第２の連結部
２３１１，２３２１  端子係合部
２３４１    第１の可動部
２３４２    第２の可動部
２３５１    第１の保持部
２３５１ａ  凹部
２３５２    第２の保持部
２５１１    本体部
２５１２    集光部 
２５２１    凹部
２５２２    端子部 
Ａ１〜Ａ５  人感センサ付ＬＥＤランプ
Ｌ１，Ｌ１’，Ｌ２，Ｌ２’  軸線
Ｃ１，Ｃ１’，Ｃ２，Ｃ２’  検出範囲
Ｓ１，Ｓ２，Ｓａ，Ｓｂ  ソケット
Ｐ１  電源装置
Ｗ１，Ｗ１ａ  天井
Ｗ１ｂ        凹部
Ｗ２          壁
ｘ        （第１の）方向
ｙ        方向
ｚ        方向
【図１】
2013033717.tif 000003
【図２】
2013033717.tif 000004
【図３】
2013033717.tif 000005
【図４】
2013033717.tif 000006
【図５】
2013033717.tif 000007
【図６】
2013033717.tif 000008
【図７】
2013033717.tif 000009
【図８】
2013033717.tif 000010
【図９】
2013033717.tif 000011
【図１０】
2013033717.tif 000012
【図１１】
2013033717.tif 000013
【図１２】
2013033717.tif 000014
【図１３】
2013033717.tif 000015
【図１４】
2013033717.tif 000016
【図１５】
2013033717.tif 000017
【図１６】
2013033717.tif 000018
【図１７】
2013033717.tif 000019
【図１８】
2013033717.tif 000020
【図１９】
2013033717.tif 000021
【図２０】
2013033717.tif 000022
【図２１】
2013033717.tif 000023
【図２２】
2013033717.tif 000024
【図２３】
2013033717.tif 000025
【図２４】
2013033717.tif 000026
【図２５】
2013033717.tif 000027
【図２６】
2013033717.tif 000028
【図２７】
2013033717.tif 000029
【図２８】
2013033717.tif 000030
【図２９】
2013033717.tif 000031
【図３０】
2013033717.tif 000032
【図３１】
2013033717.tif 000033
【図３２】
2013033717.tif 000034
【図３３】
2013033717.tif 000035
【図３４】
2013033717.tif 000036
【図３５】
2013033717.tif 000037
【図３６】
2013033717.tif 000038
【図３７】
2013033717.tif 000039
【図３８】
2013033717.tif 000040
【図３９】
2013033717.tif 000041
【図４０】
2013033717.tif 000042
【図４１】
2013033717.tif 000043
【図４２】
2013033717.tif 000044
【図４３】
2013033717.tif 000045
【図４４】
2013033717.tif 000046
【図４５】
2013033717.tif 000047
【図４６】
2013033717.tif 000048
【図４７】
2013033717.tif 000049
【図４８】
2013033717.tif 000050
【図４９】
2013033717.tif 000051
【図５０】
2013033717.tif 000052
【図５１】
2013033717.tif 000053
【図５２】
2013033717.tif 000054
【図５３】
2013033717.tif 000055
【図５４】
2013033717.tif 000056
【図５５】
2013033717.tif 000057
【図５６】
2013033717.tif 000058
【図５７】
2013033717.tif 000059
【図５８】
2013033717.tif 000060
【図５９】
2013033717.tif 000061
【図６０】
2013033717.tif 000062
【図６１】
2013033717.tif 000063
【図６２】
2013033717.tif 000064
【図６３】
2013033717.tif 000065